(57)【要約】  映像音声符号化部が、入力される映像音声信号を所定の規格形式に符号化する。差動信号出力部が符号化されたデータを所定の規格で規定された差動信号として出力する。差動信号出力部は、映像音声符号化部によって符号化されたデータをデータ送信未使用領域に乗せて出力する。標準では直接には使用しないとされていたデータ送信未使用領域がデータ送信に有効活用されるので、より多くの情報量のデータ送受信が可能となる。
2010041385.tif 000002
【特許請求の範囲】
【請求項１】
入力されてくる映像音声信号を所定の規格形式に符号化する映像音声符号化部と、
前記符号化されたデータを前記所定の規格で規定された差動信号として出力する差動信号出力部とを備え、
前記差動信号出力部は、前記映像音声符号化部によって符号化されたデータを前記所定の規格で規定されている通信線のデータ送信未使用領域に乗せて出力するように構成され、
前記映像音声符号化部は、前記所定の規格形式のデータ送信領域と前記所定の規格で規定されている通信線のデータ送信未使用領域との両方で送信されるデータが１つの信号から符号化されたか否かを示す属性情報を出力するように構成されている、
映像音声送信装置。
【請求項２】
前記所定の規格はＨＤＭＩ規格である、
請求項１の映像音声送信装置。
【請求項３】
前記映像音声符号化部はパケット生成機能を有し、
前記差動信号出力部は任意のパケットデータを前記データ送信未使用領域に出力する、
請求項２の映像音声送信装置。
【請求項４】
前記差動信号出力部はＨＤＭＩ規格で規定されたパケットデータを前記データ送信未使用領域に出力する、
請求項３の映像音声送信装置。
【請求項５】
前記映像音声符号化部は、入力されてくる１つの映像信号または音声信号をＨＤＭＩ規格で規定されたパケットデータに符号化し、
前記差動信号出力部は、符号化された前記パケットデータをＨＤＭＩ規格で規定されたデータ送信領域と前記データ送信未使用領域とに分けて出力する、
請求項４の映像音声送信装置。
【請求項６】
前記映像音声符号化部が生成するＨＤＭＩ規格で規定されたパケットデータは、オーディオサンプルパケット、オーディオクロック・リジェネレーションパケット、オーディオインフォフレームパケット、ワンビット・オーディオサンプルパケット、ＤＳＴオーディオパケット、ＨＢＲオーディオストリームパケットの中のいずれか１つまたは複数である、
請求項４の映像音声送信装置。
【請求項７】
前記差動信号出力部が出力するＨＤＭＩ規格で規定されたパケットデータは、ＭＰＥＧソース・インフォフレームである、
請求項４の映像音声送信装置。
【請求項８】
前記属性情報は、前記データ送信未使用領域にデータがあるか否かを示す情報を含む、
請求項１の映像音声送信装置。
【請求項９】
前記映像音声信号は、３Ｄビデオフォーマットで構成されている、
請求項１の映像音声送信装置。
【請求項１０】
前記映像音声信号を受信する受信装置が、３Ｄビデオフォーマットで構成された映像音声信号を受信可能であることを示す情報を、前記受信装置から送信されたＥＤＩＤ（Extended Display Identification Data）から読み出す、
請求項９の映像音声送信装置。
【請求項１１】
前記映像音声信号を受信する受信装置が、３Ｄビデオフォーマットで構成された映像音声信号を受信可能であることを示す情報を、前記受信装置からＣＥＣ（Consumer Electronics Control）を介して読み出す、
請求項９の映像音声送信装置。
【請求項１２】
前記属性情報は、３Ｄビデオフォーマットの第１の映像または第２の映像のいずれに対応する音声データが、前記データ送信未使用領域から送信されたかを示す、
請求項８の映像音声送信装置。
【請求項１３】
所定の規格で規定された差動信号を入力する差動信号入力部と、
前記差動信号入力部が入力する前記差動信号により送信され前記所定の規格形式に符号化されたデータから映像音声信号を復号化する映像音声復号化部と、
前記所定の規格形式のデータ送信領域と前記所定の規格で規定されている通信線のデータ送信未使用領域との両方で送信される符号化データが１つの信号から符号化されたか否かを入力した属性情報に基づいて判断する属性情報判断部と、
を備え、
前記差動信号入力部は、前記所定の規格形式のデータ送信領域と前記所定の規格で規定されている通信線のデータ送信未使用領域との両方で送信されてくる符号化データを入力するように構成され、
前記映像音声復号化部は、前記差動信号入力部で入力された前記データ送信領域およびデータ送信未使用領域の符号化データをともに復号化するように構成され、
前記映像音声復号化部は、前記属性情報判断部が肯定の判断を示すときは前記の符号化データを１つの信号として合成し復号化するように構成されている、
映像音声受信装置。
【請求項１４】
前記所定の規格はＨＤＭＩ規格である、
請求項１３の映像音声受信装置。
【請求項１５】
前記映像音声復号化部は、前記データ送信未使用領域に任意のパケットデータが含まれている場合に、そのデータを復号化する、
請求項１４の映像音声受信装置。
【請求項１６】
前記映像音声復号化部は、前記データ送信未使用領域にＨＤＭＩ規格で規定された音声パケットデータが含まれている場合、そのデータを音声信号に復号化する、
請求項１５の映像音声受信装置。
【請求項１７】
前記映像音声復号化部は、前記データ送信未使用領域にＨＤＭＩ規格で規定された映像パケットデータが含まれている場合に、そのデータを映像信号に復号化する、
請求項１５の映像音声受信装置。
【請求項１８】
前記映像音声復号化部は、ＨＤＭＩ規格で規定されているデータ送信領域により送信されてくる音声パケットデータと、前記データ送信未使用領域により送信されてくる音声パケットデータとを１つの音声信号に合成し復号化する、
請求項１３の映像音声受信装置。
【請求項１９】
前記映像音声復号化部は、ＨＤＭＩ規格で規定されているデータ送信領域により送信されてくる映像パケットデータと、前記データ送信未使用領域により送信されてくる映像パケットデータとを１つの映像信号に合成し復号化する、
請求項１３の映像音声受信装置。
【請求項２０】
前記映像音声復号化部は、ＨＤＭＩ規格で規定されているデータ送信領域により送信されてくる映像パケットデータと、前記データ送信未使用領域により送信されてくる映像パケットデータとを別々の映像信号に復号化する、
請求項１３の映像音声受信装置。
【請求項２１】
前記属性情報判断部は、前記データ送信未使用領域にデータがあるか否かを判断する、
請求項１３の映像音声受信装置。
【請求項２２】
前記映像音声信号は、３Ｄビデオフォーマットで構成されている、
請求項１３の映像音声受信装置。
【請求項２３】
３Ｄビデオフォーマットで構成された映像音声信号を受信可能であることを示す情報を、ＥＤＩＤ（Extended Display Identification Data）に追加する、
請求項２２の映像音声受信装置。
【請求項２４】
３Ｄビデオフォーマットで構成された映像音声信号を受信可能であることを示す情報を、ＣＥＣ（Consumer Electronics Control）を介して送信する、
請求項２２の映像音声受信装置。
【請求項２５】
前記属性情報判断部は、３Ｄビデオフォーマットの第１の映像または第２の映像のいずれに対応する音声データが、前記データ送信未使用領域から送信されたかを判断する、
請求項２１の映像音声受信装置。
【発明の詳細な説明】
【技術分野】
【０００１】
本発明は、映像音声送信装置と映像音声受信装置との間のデータ送受信の技術にかかわり、特にはＨＤＭＩ（High-Definition Multimedia Interface）規格などによる高速伝送の技術に関する。
【背景技術】
【０００２】
本出願は、２００８年１０月９日に出願された、明細書,図面、特許請求の範囲を含む日本特許出願２００８−２６２６２７号の全てを、ここに参照として本明細書に組み入れている。【０００３】
近年、ＤＶＤ（Digital Versatile Disc）プレーヤ、ＤＶＤ録画再生装置、ブルーレイディスク録画再生装置、ハードディスクレコーダ、デジタル放送受信機（セットトップボックス）などの映像音声送信装置からＴＶ（テレビジョン受像機）、プロジェクタなどの映像音声受信装置への映像データおよび音声データの高速送信にＨＤＭＩ通信が使われている。ＨＤＭＩは、映像データと音声データを１つのケーブルで送信する規格である。この規格では、音声データはパケットデータとして映像データのブランキング期間に乗せて送信されるようになっている。【０００４】
ところで、ＨＤＭＩ通信においては、送信する映像データが解像度の低いものである場合に、次のような不都合が生じる。解像度が低いとピクセルクロックの周波数も低く、これに起因してブランキング期間に乗せて送信できる音声パケットデータのサイズも限られてしまう。その結果、ある一定以上の高音質の音声パケットデータを送信することができない。また、多チャンネルで送信することもむずかしい。【０００５】
これに対して、同じピクセルの映像データを２回繰り返すように構成することでピクセルクロックの周波数を２倍にして、高音質の音声データの送信を可能にするという対策がある。しかしながら、ピクセルクロックの周波数を上げると、音声データに対するノイズの増加や消費電力の増加等の問題が生じる（例えば特許文献１参照）。【０００６】
特許文献２に開示の技術は、解像度の低い映像データを送信する場合に、映像データの空きビットに音声パケットデータを乗せるようにしている。そのため、ピクセルクロックの周波数を上げなくても、高音質の音声パケットデータを送信することが可能となる。
【先行技術文献】
【特許文献】
【０００７】
【特許文献１】特開２００８−１０４０９０号
【特許文献２】特開２００８−１１８４０５号
【発明の概要】
【発明が解決しようとする課題】
【０００８】
通常の映像データは８ビットを使用する。高ビットの映像（ディープカラー）の場合、２ビット,４ビットまたは８ビット拡張して、１０ビット,１２ビットまたは１６ビットを使用する。ディープカラーは、ＨＤＭＩ端子において転送可能な色数を増やしたもので、ＨＤＭＩ １．３で盛り込まれた。従来のＲＧＢまたはＹＣｂＣｒ各色８ビットの２４ビットカラーでは、色数が不足する場合があった。そこで、１０ビット,１２ビット,１６ビットと拡張した。それぞれ３０ビット,３６ビット,４８ビットになる。Blu-ray Discなどは各色8ビットの２４ビットカラーで記録されており、そのまま再生すればディープカラーは必要ない。ただし、再生装置で２４ビット以上の色数を使ってより綺麗な映像を作る処理をしているために、ディープカラーが必要になる場合がある。液晶表示装置で同様に色の階調を１０ビットなどに拡張したものもある。ＨＤＭＩのディープカラーとは関係なく、８ビットで入力される映像を１０ビット色中の最適な色で表示するものもある。【０００９】
しかしながら、特許文献１に開示した従来の手法は、拡張したビット（２ビット、４ビットまたは８ビット）に音声データを乗せるものであるため、ディープカラーの映像は送信できない。つまりは、ディープカラーの映像とともに高音質の音声データを送信することはできない。【００１０】
本発明は、このような事情に鑑みて創作したものであり、送信する映像の解像度、映像のデータビットによらずに、従来よりも多い情報量のより高品質なデータの送受信を可能にすることを主たる目的とする。
【課題を解決するための手段】
【００１１】
（１）本発明の映像音声送信装置は、入力されてくる映像音声信号を所定の規格形式に符号化する映像音声符号化部と、
前記符号化されたデータを前記所定の規格で規定された差動信号として出力する差動信号出力部と、
を備え、
前記差動信号出力部は、前記映像音声符号化部によって符号化されたデータを前記所定の規格で規定されている通信線のデータ送信未使用領域に乗せて出力するように構成され、
前記映像音声符号化部は、前記所定の規格形式のデータ送信領域と前記所定の規格で規定されている通信線のデータ送信未使用領域との両方で送信されるデータが１つの信号から符号化されたか否かを示す属性情報を出力するように構成されている。【００１２】
上記の構成において、所定の規格では、通信線にデータ送信領域とデータ送信未使用領域とがある。このデータ送信未使用領域を有効に活用するのである。すなわち、映像音声符号化部は入力されてくる映像音声信号を所定の規格形式に符号化し、符号化されたデータを差動信号出力部が複数に分けた上で所定の規格の差動信号として出力する。この際に、差動信号出力部は、符号化データをデータ送信領域とデータ送信未使用領域との両方で送信する。これによりデータ送信未使用領域が有効活用される。標準では使用されることのないデータ送信未使用領域を有効活用するので、所定の規格形式において標準の方式で送信する場合よりも多い情報量のデータを送信することが可能となる。この考え方は、ディープカラーのようなビットの拡張の有無に関係なしに成立する。なお、言うまでもないことであるが、「データ送信未使用領域」における「未使用」とはあくまで標準方式を基準にした表現であり、本発明ではその領域を使用することを前提としている。【００１３】
さらに、映像音声符号化部は、符号化データが１つの信号から符号化されたか否かを示す属性情報を出力する。この属性情報は、通信相手方の映像音声受信装置において、符号化データを元の１つの信号に復号化するか否かの判断の際に利用される。これにより、元の信号が１つの場合でも複数の場合でも、上記したより多くの情報量のデータを送信可能という効果を発揮させることが可能となる。音声の場合には、複数音源から符号化された音声データパケットをそれぞれの送信経路を使って別々に送信することが可能となる。映像の場合には、複数種類の映像から符号化された映像パケットをそれぞれの送信経路を使って別々に送信することが可能となる。【００１４】
（２）上記（１）の映像音声送信装置において、前記所定の規格はＨＤＭＩ規格であるという態様がある。この態様では、上記（１）の構成では、その適用対象をＨＤＭＩ規格のデータにのみ限定するものではなく、他の規格のデータにも適用可能であるということが主張されており、さらには、本発明をＨＤＭＩ規格に適用することは好ましい１つの態様であることが主張されている。上記（１）の技術的効果は、標準では使用されることのないデータ送信未使用領域を有効活用するので、所定の規格形式において標準の方式で送信する場合よりも多い情報量のデータを送信することが可能となるということであるが、この効果は、ＨＤＭＩ規格への適用の場合に特に顕著になる。【００１５】
（３）上記（２）の映像音声送信装置において、前記映像音声符号化部はパケット生成機能を有し、前記差動信号出力部は任意のパケットデータを前記データ送信未使用領域に出力するという態様がある。この態様では、映像音声符号化部がパケット生成機能を有していることから、ＨＤＭＩ規格に準拠したデータとＨＤＭＩ規格以外の規格のデータのいずれであっても本発明は対象可能となし、標準の送信対象であるＨＤＭＩ規格規定のデータに加え、別途に任意の規格のパケットデータを送信する場合にも本発明は適用可能であることが主張されている。この場合も、上記（１）の、標準では使用されることのないデータ送信未使用領域を有効活用するので、標準の方式で送信する場合よりも多い情報量のデータを送信することが可能となる。【００１６】
（４）上記（３）の映像音声送信装置において、前記差動信号出力部はＨＤＭＩ規格で規定されたパケットデータを前記データ送信未使用領域に出力するという態様がある。この態様は、標準の送信対象であるＨＤＭＩ規格規定のパケットデータをＨＤＭＩ規格でのデータ送信領域に出力して送信するとともに、同じくＨＤＭＩ規格規定の別のパケットデータをＨＤＭＩ規格でのデータ送信未使用領域に出力して送信する、ということを意味している。すなわち、本発明では、あるパケットデータはデータ送信領域で送信し、別のパケットデータはデータ送信未使用領域で送信するということであり、本発明は、複数種類の信号に適用可能であることが主張されている。【００１７】
（５）上記（４）の映像音声送信装置において、前記映像音声符号化部は、入力されてくる１つの映像信号または音声信号をＨＤＭＩ規格で規定されたパケットデータに符号化し、前記差動信号出力部は、符号化された前記パケットデータをＨＤＭＩ規格で規定されたデータ送信領域と前記データ送信未使用領域とに分けて出力するという態様がある。この態様によれば、１つの映像信号または音声信号を符号化したパケットデータを複数に分けて、あるものはデータ送信領域に出力し、別のあるものはデータ送信未使用領域に出力して、同時的に送信可能とするため、より多くの映像パケットデータまたは音声パケットデータを送信することが可能となる。【００１８】
（６）上記（４）の映像音声送信装置において、前記映像音声符号化部が生成するＨＤＭＩ規格で規定されたパケットデータは、オーディオサンプルパケット,オーディオクロック・リジェネレーションパケット,オーディオインフォフレームパケット,ワンビット・オーディオサンプルパケット,ＤＳＴオーディオパケット,ＨＢＲオーディオストリームパケットの中のいずれか１つまたは複数であるという態様がある。この態様は、データ送信未使用領域を利用して送信する音声のパケットデータについて、具体的に記述するものである。オーディオサンプルパケットはＨＤＭＩ規格の非圧縮の音声パケットである。オーディオクロック・リジェネレーションパケットは受信側で音声クロックを生成するために送信されるパケットである。オーディオインフォフレームパケットは音声データの特性を表わすパラメータを含むパケットである。ワンビット・オーディオサンプルパケット,ＤＳＴオーディオパケット,ＨＢＲオーディオストリームパケットはＨＤＭＩ規格に規定された圧縮音声パケットである。この構成によれば、上記に挙げた音声パケットデータを複数の送信経路で送信可能となるため、従来では送信できなかった高音質の音声パケットデータや多チャンネル音声パケットデータが送信可能になる。【００１９】
（７）上記（４）の映像音声送信装置において、前記差動信号出力部が出力するＨＤＭＩ規格で規定されたパケットデータはＭＰＥＧソース・インフォフレームであるという態様がある。これは、データ送信未使用領域を利用して送信する映像のパケットデータについて、具体的に記述するものである。ＭＰＥＧソース・インフォフレームは、ＨＤＭＩ規格規定による映像パケットである。この構成によれば、上記に挙げた映像パケットデータを複数の送信経路で送信可能となるため、従来では送信できなかった高画質の映像パケットが送信可能となる。【００２０】
続いて、本発明にかかわる映像音声受信装置について説明する。【００２１】
（８）本発明の映像音声受信装置は、
所定の規格で規定された差動信号を入力する差動信号入力部と、
前記差動信号入力部が入力する前記差動信号により送信され前記所定の規格形式に符号化されたデータから映像音声信号を復号化する映像音声復号化部と、
前記所定の規格形式のデータ送信領域と前記所定の規格で規定されている通信線のデータ送信未使用領域との両方で送信される符号化データが１つの信号から符号化されたか否かを入力した属性情報に基づいて判断する属性情報判断部と、
を備え、
前記差動信号入力部は、前記所定の規格形式のデータ送信領域と前記所定の規格で規定されている通信線のデータ送信未使用領域との両方で送信されてくる符号化データを入力するように構成され、
前記映像音声復号化部は、前記差動信号入力部で入力された前記データ送信領域およびデータ送信未使用領域の符号化データをともに復号化するように構成され、
前記映像音声復号化部は、前記属性情報判断部が肯定の判断を示すときは前記の符号化データを１つの信号として合成し復号化するように構成されているものである。【００２２】
上記の構成において、相手方の映像音声送信装置から送られてくる所定規格の符号化データが差動信号入力部に入力され、映像音声復号化部に渡される。そして、映像音声復号化部はデータ送信領域の符号化データおよびデータ送信未使用領域の符号化データをともに復号化する。以上によりデータ送信未使用領域にデータが含まれている場合でも、そのデータを受信することが可能となり、所定の規格形式において標準の方式で受信する場合よりも多い情報量のデータを受信することが可能となる。【００２３】
さらに、相手方の映像音声送信装置から送られてくる所定規格の差動信号が差動信号入力部に入力され、映像音声復号化部に渡される。ここで、属性情報判断部においてデータ送信領域の符号化データとデータ送信未使用領域の符号化データとが１つの信号から符号化されたものであるか否かの判断が属性情報に基づいて行われ、その判断結果が肯定的であるとき、映像音声復号化部は符号化データを１つの信号として合成し復号化し、その判断結果が否定的であるとき、映像音声復号化部は符号化データを別々の信号として復号化する。【００２４】
以上により、信号源が１つの場合でデータ送信領域とデータ送信未使用領域とに分けて符号化データを送受信する場合に、そのデータを１つにまとめて復号化することが可能となり、所定の規格形式において標準の方式で受信する場合よりも多い情報量のデータを受信することが可能となる。また、多チャンネルでのデータ送受信が可能となる。【００２５】
（９）上記（８）の映像音声受信装置において、前記所定の規格はＨＤＭＩ規格であるという態様がある。換言すれば、上記（８）の構成は、その適用対象をＨＤＭＩ規格のデータにのみ限定するものではなく、他の規格のデータにも適用可能であるということである。この態様は、本発明をＨＤＭＩ規格に適用することは好ましい１つの態様であることを主張するものである。上記（８）の技術的効果は、標準では使用されることのないデータ送信未使用領域を有効活用するので、所定の規格形式において標準の方式で受信する場合よりも多い情報量のデータを受信することが可能となるということであるが、この効果は、ＨＤＭＩ規格への適用の場合に特に顕著になる。【００２６】
（１０）上記（９）の映像音声受信装置において、前記映像音声復号化部は、前記データ送信未使用領域に任意のパケットデータが含まれている場合に、そのデータを復号化するという態様がある。この態様では、ＨＤＭＩ規格に準拠したデータとＨＤＭＩ規格以外の規格のデータのいずれであっても対象可能となし、標準の送信対象であるＨＤＭＩ規格規定のデータに加え、別途に任意の規格のパケットデータを受信する場合にも適用可能であることが主張されている。この場合も、上記（８）に態様において標準では使用されることのないデータ送信未使用領域を有効活用するので、標準の方式で受信する場合よりも多い情報量のデータを受信することが可能となる。【００２７】
（１１）上記（１０）の映像音声受信装置において、前記映像音声復号化部は、前記データ送信未使用領域にＨＤＭＩ規格で規定された音声パケットデータが含まれている場合に、そのデータを音声信号に復号化するという態様がある。この態様では、標準の受信対象であるＨＤＭＩ規格規定のパケットデータをＨＤＭＩ規格でのデータ送信領域から復号化するとともに、同じくＨＤＭＩ規格規定の別のパケットデータをデータ送信未使用領域から復号化することが本発明では可能であることが主張されている。すなわち、あるパケットデータはデータ送信領域から復号化し、別のパケットデータはデータ送信未使用領域から復号化するということであり、本発明は複数種類の信号に適用可能である。つまり、複数の経路で送信されてくる音声パケットを別々に音声信号に復号化し、複数種類の音声信号を作ることが本発明で可能となる。【００２８】
（１２）上記（１０）の映像音声受信装置において、前記映像音声復号化部は、前記データ送信未使用領域にＨＤＭＩ規格で規定された映像パケットデータが含まれている場合に、そのデータを映像信号に復号化するという態様がある。この態様によれば、標準に受信するＨＤＭＩ規格規定の映像パケットデータに加え、別途に映像パケットデータを受信することが可能となり、複数の経路から送信されてくる映像パケットを別々に映像信号に復号化し、複数種類の映像信号を作ることが可能となる。【００２９】
（１３）上記（８）の映像音声受信装置において、前記映像音声復号化部は、ＨＤＭＩ規格で規定されているデータ送信領域により送信されてくる音声パケットデータと、前記データ送信未使用領域により送信されてくる音声パケットデータとを１つの音声信号に合成し復号化するという態様がある。この態様によれば、複数の経路から送信されてくる音声パケットをより高音質な１つの音声信号に合成し復号化することが可能となる。【００３０】
（１４）上記（８）の映像音声受信装置において、前記映像音声復号化部は、ＨＤＭＩ規格で規定されているデータ送信領域により送信されてくる映像パケットデータと、前記データ送信未使用領域により送信されてくる映像パケットデータとを１つの映像信号に合成し復号化するという態様がある。この態様によれば、複数の経路から送信されてくる映像パケットをより高画質な１つの映像信号に合成し復号化することが可能となる。【００３１】
（１５）さらに、上記（１）の映像音声送信装置において、前記属性情報は、前記データ送信未使用領域にデータがあるか否かを示す情報を含むという態様がある。この態様によれば、データ送信未使用領域により送信されるパケットデータと所定の規格で規定されたデータ送信領域により送信されるパケットデータとが別々の入力信号から符号化された別々のパケットデータであるか、１つの入力信号から符号化されて分割送信されるパケットデータであるかを区別することが可能となる。【００３２】
（１６）また、上記（８）の映像音声受信装置において、前記属性情報判断部は、前記データ送信未使用領域にデータがあるか否かを判断するという態様がある。この態様によれば、データ送信未使用領域により受信されるパケットデータと所定の規格で規定されたデータ送信領域により受信されるパケットデータが別々の入力信号から符号化された別々のパケットデータであるか、１つの入力信号から符号化されて分割されて受信したパケットデータであるかを判断し、それぞれの場合に合わせてパケットを復号化し、信号を生成することが可能となる。
【発明の効果】
【００３３】
本発明によれば、従来、所定の規格で標準では直接には使用しないとされていたデータ送信未使用領域をデータ送信に有効活用するので、所定の規格形式において標準の方式で送信する場合よりも多い情報量のデータの送受信を行うことができる。
【図面の簡単な説明】
【００３４】
【図１】図１は、本発明の実施の形態１における映像音声送信装置と映像音声受信装置との接続状態の構成を示すブロック図である。
【図２】図２は、ＨＤＭＩ規格で規定されたパケット送信のデータ送信領域・データ送信未使用領域の概念図（従来技術相当）である。
【図３】図３は、本発明におけるパケット送信のデータ送信領域・データ送信未使用領域の概念図である。
【図４】図４は、本発明の実施の形態におけるパケット送信データ送信領域・データ送信未使用領域の概念図である。
【図５】図５は、本発明の実施の形態２における映像音声送信装置と映像音声受信装置との接続状態の構成を示すブロック図である。
【図６Ａ】図６Ａは、属性情報のデータの例である。
【図６Ｂ】図６Ｂは、属性情報データを用いた映像音声受信装置でのデータ判断例である。
【図７】図７は、ＨＤＭＩ Ｖｅｒ１．４で規格化された３Ｄビデオフォーマットの１例である。
【図８】図８は、本発明の実施の形態３における映像音声送信装置と映像音声受信装置との接続状態の構成を示すブロック図である。
【図９Ａ】図９Ａは、属性情報データの例である。
【図９Ｂ】図９Ｂは、属性情報データを用いた映像音声受信装置でのデータ判断例である。
【図１０】図１０は、本発明の実施の形態４における映像音声送信装置と映像音声受信装置との接続状態の構成を示すブロック図である。
【図１１】図１１は、本発明の実施の形態４におけるパケット送信データ送信領域・データ送信未使用領域の概念図である。
【図１２Ａ】図１２Ａは、属性情報データの例である。
【図１２Ｂ】図１２Ｂは、属性情報データを用いた映像音声受信装置でのデータ判断例である。
【発明を実施するための形態】
【００３５】
（実施の形態１）
図１は本発明の実施の形態１における映像音声送信装置と映像音声受信装置との接続状態の構成を示すブロック図である。図１において、１０は映像音声送信装置の一例であるＤＶＤプレーヤであり、２０は映像音声受信装置の一例であるＴＶであり、３０はＨＤＭＩケーブルである。ＤＶＤプレーヤ１０とＴＶ２０とはＨＤＭＩケーブル３０を介して接続されている。
【００３６】
まず、ＤＶＤプレーヤ１０の構成について説明する。ＤＶＤプレーヤ１０は、映像音声再生部（図示せず）を備え、記録メディアであるＤＶＤから映像信号、音声信号を読み出すようになっている。１１はＨＤＭＩ送信用ＬＳＩであり、１２は映像音声再生部が再生する映像信号を入力する映像信号入力部であり、１３は映像音声再生部が再生する音声信号が入力される音声信号入力部であり、１４は入力されてくる映像音声信号をＨＤＭＩ規格形式に符号化する機能に加えてパケット生成機能を備えた映像音声符号化部としての映像音声ＨＤＭＩエンコード部であり、１５は映像音声ＨＤＭＩエンコード部１４から入力するＨＤＭＩ規格信号を３つのＴＭＤＳチャネルＣＨ０,ＣＨ１，ＣＨ２により差動信号としてＨＤＭＩケーブル３０に出力する差動信号出力部としてのＴＭＤＳ出力部であり、１６はＤＶＤプレーヤ１０の制御を司る送信装置制御ＣＰＵである。ＨＤＭＩケーブル３０における送信の形態は、３つのチャネルであるＴＭＤＳチャネルＣＨ０,ＣＨ１,ＣＨ２を利用したものとなる。
【００３７】
ＴＭＤＳ（Transition Minimized Differential Signaling）は、パーソナルコンピュータやチューナとテレビ、ディスプレイとの間などでデータ通信のために用いられるデジタル信号伝送方式であり、「遷移時間最短差動信号伝送方式」とも表現される。ＴＭＤＳ方式では差動信号が用いられるので、ノイズや信号の歪みに対する耐性が高くなっている。
【００３８】
図２はＨＤＭＩ規格で規定されたパケット送信のデータ送信領域・データ送信未使用領域の概念図である。この図２は従来技術に相当するものである。図２において、網掛けした部分がＨＤＭＩ規格規定による標準のデータ送信領域である。Ｐａｃｋｅｔ１,Ｐａｃｋｅｔ２の下側にあるデータラインＤ４〜Ｄ７の白地の部分はデータ送信未使用領域である。ＨＤＭＩ規格によると、ＴＭＤＳチャネルにより送信される音声信号は、ビデオのブランキング期間の一部においてパケットデータ４０〜４２およびパケットデータ４３〜４５として送信される。ＨＳＹＮＣは水平同期信号を示し、ＶＳＹＮＣは垂直同期信号を示している。Ｄ０〜Ｄ７は８ビット構成のデータラインを示し、映像期間では８つすべてのデータラインＤ０〜Ｄ７を用いて映像データを送信するが、ブランキング期間では標準で４つのみのデータラインＤ０〜Ｄ３を用いて音声データを送信するようになっている。ここでは、音声のパケットデータが２つ送信されている（Ｐａｃｋｅｔ１,Ｐａｃｋｅｔ２）。すなわち、ＴＭＤＳチャネルＣＨ０では同期信号と音声のパケットヘッダがパケットデータ４０として送信され、ＴＭＤＳチャネルＣＨ１では音声のパケットデータ４１として送信され、ＴＭＤＳチャネルＣＨ２では音声のパケットデータ４２として送信され、さらに、別のタイミングにおいて、ＴＭＤＳチャネルＣＨ０では同期信号と音声のパケットヘッダがパケットデータ４３として送信され、ＴＭＤＳチャネルＣＨ１では音声のパケットデータ４４として送信され、ＴＭＤＳチャネルＣＨ２では音声のパケットデータ４５として送信される。
【００３９】
従来技術相当の図２の場合、音声データの送信に関して、パケットデータ４０〜４５の送信に用いられるのはＴＭＤＳチャネルＣＨ０〜ＣＨ２のデータラインＤ０〜Ｄ３だけであり、データラインのＤ４〜Ｄ７はデータ送信未使用領域となっている。
【００４０】
これに対して、本発明を適用する場合には、ＨＤＭＩ規格においてデータラインのＤ４〜Ｄ７が標準ではデータ送信未使用領域となっている点に注目し、これを有効活用するようにしたものである。すなわち、図３に示すように、そのデータ送信未使用領域５０〜５２および（または）データ送信未使用領域５３〜５５にＨＤＭＩ規格で規定されているパケットデータを送信するようにしたものである（ハッチング（斜め線）参照）。「データ送信未使用領域」における「未使用」とは、あくまで標準方式を基準にした表現である。
【００４１】
ＴＭＤＳチャネルＣＨ０では標準でのデータ送信未使用領域５０に乗せて音声のパケットヘッダが送信され、ＴＭＤＳチャネルＣＨ１では標準でのデータ送信未使用領域５１に乗せて音声のパケットデータが送信され、ＴＭＤＳチャネルＣＨ２では標準でのデータ送信未使用領域５２に乗せて音声のパケットデータが送信される（Ｐａｃｋｅｔ３）。また、続くタイミングでは、ＴＭＤＳチャネルＣＨ０では標準でのデータ送信未使用領域５３に乗せて音声のパケットヘッダが送信され、ＴＭＤＳチャネルＣＨ１では標準でのデータ送信未使用領域５４に乗せて音声のパケットデータが送信され、ＴＭＤＳチャネルＣＨ２では標準でのデータ送信未使用領域５５に乗せて音声のパケットデータが送信される（Ｐａｃｋｅｔ４）。
【００４２】
ここで図１に戻って、映像音声ＨＤＭＩエンコード部１４は、また、ＨＤＭＩ規格で規定されている通信線のデータ送信未使用領域にパケットデータがあるか否かを示す属性情報を生成し出力するように構成されている。ＴＭＤＳ出力部１５は、その属性情報をデータ送信未使用領域に乗せてＨＤＭＩケーブル３０に出力するように構成されている。
【００４３】
次に、ＴＶ２０の構成について説明する。２１はＨＤＭＩ受信用ＬＳＩ,２２はＤＶＤプレーヤ１０から送信されてくるＨＤＭＩ規格信号を３つのＴＭＤＳチャネルＣＨ０,ＣＨ１,ＣＨ２を介して受信する差動信号入力部としてのＴＭＤＳ入力部である。２３は入力されてくるＨＤＭＩ規格信号から映像音声信号を復号化する映像音声復号化部としての映像音声ＨＤＭＩデコード部である。２４は復号化された映像信号を出力する映像信号出力部である。２５は復号化された音声信号を出力する音声信号出力部である。２６はデータ送信未使用領域における属性情報をチェックする属性情報判断部である。属性情報判断部２６は、属性情報の値に基づいた判断により、ＨＤＭＩ規格規定によるデータ送信未使用領域にパケットデータがあるか否かを確認する。２７はＴＶ２０の制御を司る受信装置制御ＣＰＵである。
【００４４】
次に、上記のように構成された本実施の形態の映像音声送信装置および映像音声受信装置の動作を説明する。ここでは、図４の具体例を参照しながら説明する。ＤＶＤプレーヤ１０の動作は次のとおりである。不図示の映像音声再生部が記録メディア（ＤＶＤ）から映像信号、音声信号を読み出す。読み出された映像信号が映像信号入力部１２に入力され、音声信号が音声信号入力部１３に入力される。エンコード部１４において、映像信号入力部１２からの映像信号がＨＤＭＩ規格信号に変換され、ＴＭＤＳ出力部１５に出力される。同様に、音声信号入力部１３からの音声信号もＨＤＭＩ規格信号に変換され、ＴＭＤＳ出力部１５に出力される。ＴＭＤＳ出力部１５に入力されたＨＤＭＩ規格信号は、３つに分けられてＴＭＤＳチャネルＣＨ０,ＣＨ１,ＣＨ２における差動信号へ変換され、ＨＤＭＩケーブル３０に出力される。
【００４５】
エンコード部１４はパケット生成機能を備えており、送信装置制御ＣＰＵ１６から入力される制御系信号に基づいてエンコード部１４は属性情報を含む制御系パケットを生成して、ＴＭＤＳ出力部１５に出力する。ここでは、エンコード部１４は、データ送信未使用領域にパケットデータがあることを示す属性情報を生成するものとする。ＴＭＤＳ出力部１５は、その属性情報を図４のデータ送信未使用領域６０に付けて送信する。この属性情報を送信することにより、データ送信未使用領域に存在するパケットデータもデコードすべきことを、ＴＶ２０における属性情報判断部２６に判断させることができる。なお、属性情報を付ける場所をデータ送信未使用領域６０としたが、ＴＭＤＳチャネルＣＨ０のデータ送信未使用領域であればどこでもかまわない。また、ＨＤＭＩ規格で規定されているオーディオサンプルパケットのリザーブ（Reserved）領域に同様の属性情報を加えてもよい。ＴＭＤＳ出力部１５に入力された属性情報は、ＴＭＤＳチャネルＣＨ０でＨＤＭＩケーブル３０へ出力される。
【００４６】
図４に示す具体例の場合においては、エンコード部１４は、音声信号入力部１３から入力された音声信号をオーディオサンプルパケット（Audio Sample Packet）に変換し、ＴＭＤＳチャネルＣＨ０,ＣＨ１,ＣＨ２のＨＤＭＩ規格規定によるデータ送信領域４０〜４２とデータ送信未使用領域５０〜５２とに分けて送信する。これによれば、オーディオサンプルパケットの単位時間当たりの送信量を従来技術の場合の２倍とすることが可能となる。さらに、データ送信未使用領域５３〜５５でもオーディオサンプルパケットを送信することができ、さらに多くのパケットデータを送信することができる。
【００４７】
次に、ＴＶ２０の動作について説明する。ＤＶＤプレーヤ１０からＨＤＭＩケーブル３０のＴＭＤＳチャネルＣＨ０,ＣＨ１,ＣＨ２を介して送信されたＨＤＭＩ規格信号がＴＭＤＳ入力部２２によって受信される。ＴＭＤＳ入力部２２は、ＨＤＭＩ規格規定によるデータ送信領域４０〜４２で送信されるオーディオサンプルパケットと、データ送信未使用領域５０〜５２で送信されるオーディオサンプルパケットとを受信する。
【００４８】
ＴＭＤＳ入力部２２からのビデオのパケットは、映像音声ＨＤＭＩデコード部２３によって映像信号にデコードされる。また、ＴＭＤＳ入力部２２からのオーディオサンプルパケットは、デコード部２３によって音声信号にデコードされる。このとき、データ送信未使用領域６０の属性情報が属性情報判断部２６でチェックされ、データ送信未使用領域５０〜５２にもオーディオサンプルパケットが存在していることの確認が行われる。この確認を行うために、データ送信領域のオーディオサンプルパケットだけでなくデータ送信未使用領域のオーディオサンプルパケットもデコードされることになる。
【００４９】
以上のように本実施の形態によれば、映像音声送信装置（ＤＶＤプレーヤ１０）において、ＨＤＭＩ規格で標準では直接には使用しないとされていたデータ送信未使用領域をデータ送信に有効活用するので、オーディオサンプルパケットの単位時間当たりの送信量を従来技術に比べて多くすることができる。すなわち、従来、ピクセルクロックの制限のために送信できなかった高音質の音声データであっても、これを送信することが可能になる。また、映像音声受信装置（ＴＶ２０）においては、映像音声送信装置から送信される音声データを、従来では再生できなかった高音質の音声信号に変換し再生することが可能になる。結果として、これら映像音声送信装置および映像音声受信装置を接続することで、いままで再生することのできなかった高音質の音声が出力できる映像音声再生システムを構築することができる。
【００５０】
上記において非圧縮の音声パケットについての説明を行ったが、本発明の技術は、ＨＤＭＩ規格規定による圧縮音声パケットであるワンビット・オーディオサンプルパケット（One Bit Audio Sample Packet）、ＤＳＴオーディオパケット（DST Audio Packet）、ＨＢＲオーディオストリームパケット（HBR Audio Stream Packet）などにも適用することができる。
【００５１】
また、上記において音声パケットについての説明を行ったが、本発明は、ＨＤＭＩ規格規定による映像パケットであるＭＰＥＧソース・インフォフレーム（Mpeg Source InfoFrame）などにも適用することができる。
【００５２】
また、本発明は、ＨＤＭＩ規格規定における全種類のパケットに適用してもかまわない。ＨＤＭＩ規格で規定されている制御系パケットについては、デコード部２３により制御系信号に変換され、受信装置制御ＣＰＵ２７に伝送される。
【００５３】
また、上記において、ＨＤＭＩ規格規定によるパケットでなく、独自のデータの送受信に適用してもかまわない。
【００５４】
また、ディープカラーを用いた場合にも、実施の形態１は同様に適用できる。
【００５５】
（実施の形態２）
図５は本発明の実施の形態２における映像音声送信装置と映像音声受信装置との接続状態の構成を示すブロック図である。図５において、実施の形態１の図１におけるのと同じ符号は同一構成要素を指している。本実施の形態に特有の構成は、次のとおりである。
【００５６】
ＤＶＤプレーヤ１０は、音声信号入力部１３に＃１と＃２の２系統の音声信号入力を有し、一方、ＴＶ２０は音声信号出力部２５に＃１と＃２の２系統の音声信号出力を有している。
【００５７】
音声信号入力部１３に入力される音声信号＃１および音声信号＃２は、映像音声ＨＤＭＩエンコード部１４によって互いに別々のオーディオサンプルパケットに変換される。加えて、オーディオクロック・リジェネレーションパケット（Audio Clock Regeneration Packet）、オーディオインフォフレームパケット（Audio InfoFrame Packet）もそれぞれの音声信号について変換される。オーディオクロック・リジェネレーションパケットはＴＶ２０側で音声クロックを生成するために送信される。オーディオインフォフレームパケットは音声データの特性を表わすパラメータを含む。これら３種類のパケットから１つの音声信号が生成される。
【００５８】
本実施の形態では、ＤＶＤプレーヤ１０におけるエンコード部１４は、ＨＤＭＩ規格形式のデータ送信領域４０〜４２とＨＤＭＩ規格で規定されている通信線のデータ送信未使用領域５０〜５２との両方で送信されるパケットヘッダとパケットデータとが１つの信号から符号化されたか否かを示す属性情報が生成されて出力されるように構成されている（図４のデータ送信未使用領域６０を参照）。
【００５９】
また、ＴＶ２０における属性情報判断部２６は、受信した属性情報の値に基づいた判断により、ＨＤＭＩ規格規定によるデータ送信領域４０〜４２で送信されるオーディオサンプルパケットとデータ送信未使用領域５０〜５２で送信されるオーディオサンプルパケットとが、同じ音源から変換されたか否かを確認するように構成されている。
【００６０】
エンコード部１４は、音声信号＃１および音声信号＃２のそれぞれから生成される上記３種類の音声データパケットをそれぞれ２つに分け、ＴＭＤＳ出力部１５は、一方のパケットデータをＨＤＭＩ規格規定によるデータ送信領域４０〜４２により送信し、他方のパケットデータをデータ送信未使用領域５０〜５２により送信する。これにより、２系統で入力される別々の音声信号＃１,＃２のパケットデータを同時にＨＤＭＩケーブル３０を介して接続先のＴＶ２０に送信することができる。このとき、エンコード部１４は属性情報として別々のデータを送っていることを示す情報を生成し送信することになる。この属性情報を送信することにより、ＴＶ２０における属性情報判断部２６に対して、オーディオサンプルパケットを別々にデコードするべきか、一緒にまとめてデコードするべきかを判断させることができる。
【００６１】
一方、ＴＶ２０においては、ＴＭＤＳ入力部２２からのビデオのパケットは、映像音声ＨＤＭＩデコード部２３によって映像信号にデコードされる。また、ＴＭＤＳ入力部２２からのオーディオサンプルパケットは、デコード部２３によって音声信号にデコードされる。このとき、データ送信未使用領域６０の属性情報が属性情報判断部２６でチェックされ、ＨＤＭＩ規格規定によるデータ送信領域４０〜４２で送信されるオーディオサンプルパケットとデータ送信未使用領域５０〜５２で送信されるオーディオサンプルパケットとが同じ音源から変換されたものであるか否かの確認が行われる。この確認により、両オーディオサンプルパケットがそれぞれ別々の音源由来のものであることが確認されれば、両オーディオサンプルパケットは個別の音声信号としてデコードされ、同じ音源由来のものであることが確認されれば、両オーディオサンプルパケットは１つの音声信号に合成されたうえでデコードされる。
【００６２】
ここで属性情報の具体例を図６Ａに基づいて説明する。この属性情報の具体例では、データ送信未使用領域にパケットデータがあるかないかの識別と、２つのパケットデータが別々の信号由来のものか１つの信号由来のものかの識別とが組み合わせられて属性情報をなしている。
【００６３】
前者のデータ送信未使用領域にパケットデータがあるかないかの識別は、属性情報の１ビット目においてなされている。具体的には、パケットデータがある場合、当該ビットは"１"となり、ない場合"０"となる。
【００６４】
後者の２つのパケットデータが別々の信号由来のものか１つの信号由来のものかの識別は、属性情報の２ビット目においてなされている。具体的には、別々の信号由来の場合、当該ビットは"０"となり、１つの信号由来の場合は"１"となる。
【００６５】
属性情報判断部２６における属性情報の判断は例えば図６Ｂに示すフローチャートに従って行われる。属性情報が受信されると、まず１ビット目が判断され（ステップＳ６１）、次に２ビット目が判断される（ステップＳ６２）。１ビット目の判断において（ステップＳ６１）、１ビット目＝０（"００"および"１０"）であると判定されるときは、ＨＤＭＩ規格規定のデータ送信領域で送信されるパケットデータのみ復号化される（ステップＳ６３）。一方、１ビット目の判断において（ステップＳ６１）、１ビット目＝１（"０１"および"１１"）であると判定されるときは、２ビット目の判断に進む（ステップＳ６２）。２ビット目の判断において（ステップＳ６２）、２ビット目＝０（"０１"）であると判定されるときは、ＨＤＭＩ規格規定のデータ送信領域で送信されるパケットデータとデータ送信未使用領域で送信されるパケットデータとは、別々の信号として復号化される（ステップＳ６４）。そして、２ビット目の判断において（ステップＳ６２）、２ビット目＝１（"１１"）であると判定されるときは、ＨＤＭＩ規格規定のデータ送信領域で送信されるパケットデータとデータ送信未使用領域で送信されるパケットデータとが１つの信号として復号化される（ステップＳ６５）。
【００６６】
その他の構成および動作については、実施の形態１と同様であるので説明を省略する。また、実施の形態１における各種の付記事項も本実施の形態に当てはまる。
【００６７】
以上のように本実施の形態によれば、映像音声送信装置（ＤＶＤプレーヤ１０）により生成された２つの音声信号を映像音声受信装置（ＴＶ２０）に送信することが可能になり、また、映像音声受信装置では、映像音声送信装置から送信されてくる音声データパケットを２つの音声信号に変換し、別々の音声信号を出力することが可能になる。
【００６８】
（実施の形態３）
図７はＨＤＭＩ規格Ｖｅｒ１．４により規定された新しい３Ｄビデオフォーマットの一例である。このビデオフォーマットでは左目用と右目用の映像を送信することが可能となっている。本実施の形態では上記３Ｄビデオフォーマットを送信することを前提とし、左目用の映像と右目用の映像をとそれぞれ全く違った映像であることを想定し、本発明の手段を応用して同時に２つの映像を送受信するための実施例である。
【００６９】
図８は実施の形態３における映像音声送信装置と映像音声受信装置との接続状態の構成を示すブロック図である。図８において実施の形態２の図５におけるのと同じ符号は同一構成要素を指している。本実施の形態に特有の構成は、次のとおりである。
【００７０】
ＤＶＤプレーヤ１０は、映像信号入力部１２に左目用の映像（これを映像＃１とする）と右目用の映像（これを映像＃２とする）とがそれぞれ全く違った３Ｄビデオフォーマット映像信号＃０が入力される。一方、ＴＶ２０は映像信号出力部２４に映像信号＃１と映像信号＃２の２系統の映像信号出力を有している。音声信号＃１は映像＃１（映像信号＃１）に合わせた音声信号であり、音声信号＃２は映像＃１（映像信号＃２）に合わせた音声信号である。
【００７１】
本実施の形態では、ＤＶＤプレーヤ１０において、音声信号入力部１３に入力される音声信号＃１および音声信号＃２は、実施の形態２と同様に互いに別々のオーディオサンプルパケットに変換され、加えてオーディオクロック・リジェネレーションパケット、オーディオインフォフレームパケットもそれぞれ変換されＴＶ２０に送信される。
【００７２】
エンコード部１４は、実施の形態２と同様に、音声信号＃１と音声信号＃２とのそれぞれから生成される上記３種類の音声データパケットをそれぞれ２つに分け、ＴＭＤＳ出力部１５は、一方のパケットデータをＨＤＭＩ規格規定によるデータ送信領域４０〜４２（図４）により送信し、他方のパケットデータをデータ送信未使用領域５０〜５２（図４）により送信する。
【００７３】
また、エンコード部１４は属性情報として映像＃１と映像＃２とがそれぞれ全く違った３Ｄビデオフォーマットで構成されていることを示す情報と、音声信号＃１から生成されたパケットデータと音声信号＃２から生成されたパケットデータとのうちのどちらが、ＨＤＭＩ規格規定によるデータ送信領域４０〜４２（図４）を使用して送信され、残りのどちらがデータ送信未使用領域５０〜５２（図４）を使用して送信されるのかを判別できる属性情報を実施の形態２と同様にデータ送信未使用領域６０,６１（図４）を使用して送信することができるように構成されている。
【００７４】
さらに、ＤＶＤプレーヤ１０は本実施の形態で送信する３Ｄビデオフォーマット（映像＃１と映像＃２とがそれぞれ全く異なる）をＴＶ２０が受信できるかどうかを判断してから送信する必要がある。この判断は以下に説明する２つの構成によって可能である。
【００７５】
１つは受信機器情報であるＥＤＩＤ(Extended Display Identification Data)３１に本実施形態で送信する映像信号が受信可能であるという情報を記載しておき、ＤＶＤプレーヤ１０はＴＶ２０のＥＤＩＤを読み出すことで判断する構成である。ＨＤＭＩ送信用ＬＳＩ１１とＨＤＭＩ受信用ＬＳＩ２１とは、それぞれＤＤＣ（Display Data Channel）通信を行うためのインターフェース３５および３７を備えており、ＤＶＤプレーヤ１０はＨＤＭＩケーブル３０の一部であるＤＤＣライン３４を介してＴＶ２０が備えているＥＤＩＤ３１の情報を読み出すことが可能である。
【００７６】
もう１つはＣＥＣ(Consumer Electronics Control)３２を用いてＤＶＤプレーヤ１０とＴＶ２０が通信を行い、ＤＶＤプレーヤ１０はＴＶ２０から本実施の形態で送信する映像信号が受信可能かどうかの情報を取得する構成である。ＨＤＭＩ送信用ＬＳＩ１１とＨＤＭＩ受信用ＬＳＩ２１とは、ＣＥＣ通信を行うためのインターフェース３６および３８をそれぞれ備えており、ＤＶＤプレーヤ１０とＴＶ１０とは、ＨＤＭＩケーブル３０の一部であるＣＥＣライン３２を介して情報のやり取りが可能である。
【００７７】
以上の２つの構成のどちらかの構成により、ＴＶ２０が３Ｄビデオフォーマット映像（映像＃１と映像＃２とがそれぞれ全く異なる）を受信できる機能を備えていることを確認してから、ＤＶＤプレーヤ１０は映像送信を開始する。
【００７８】
一方、ＴＶ２０において、属性情報判断部２６はＤＶＤプレーヤ１０から送られてくる属性情報に基づいて、
・通常の３Ｄビデオフォーマットであるのか、３Ｄビデオフォーマット（映像＃１と映像＃２とがそれぞれ全く異なる）であるのかの判別と、
・ＨＤＭＩ規格規定によるデータ送信領域４０〜４２を使用して送信されたパケットデータであるのか、データ送信未使用領域５０〜５２を使用して送信されたパケットデータであるのかの判別と、
を行う。
【００７９】
ここで、属性情報の具体例を図９Ａに基づいて説明する。この属性情報の具体例では、以下の３つの場合が例として記載されている。
【００８０】
１つ目は映像＃１と映像＃２とが１つの映像である場合（データ送信未使用領域にパケットデータがない場合）であり、属性情報は "０００"という値をとる。
【００８１】
２つ目は映像＃１と映像＃２とが別々の２つの映像である場合において、ＨＤＭI規格で規定されたパケットデータ送信領域を介して、映像＃１の音声パケットデータが送信され、データ送信未使用領域を介して、映像＃２の音声パケットデータが送信される場合であり、属性情報は"０１１"という値をとる。
【００８２】
３つ目は映像＃１と映像＃２とが別々の２つの映像である場合において、ＨＤＭI規格で規定されたパケットデータ送信領域を介して、映像＃２の音声パケットデータが送信され、データ送信未使用領域を介して、映像＃１の音声パケットデータが送信される場合であり、属性情報は"１０１"という値をとる。
【００８３】
属性情報判断部２６における属性情報の判断は例えば図９Ｂに示すフローチャートに従って行われる。属性情報が受信されると、まず１ビット目が判断され（ステップＳ９１）、次に２ビット目が判断され（ステップＳ９２）、最後に３ビット目が判断される（ステップＳ９３）。なお、ここでは下位のビットから１ビット目と呼んでいる。１ビット目の判断（ステップＳ９１）において、１ビット目＝０であると判断されるときは、ＨＤＭＩ規格で規定されたデータ領域を介して送信されるパケットデータのみが復号化され、通常の３Ｄビデオフォーマットとして左目用の映像と右目用の映像とが１つの映像として出力される（ステップＳ９４）。１ビット目＝１であると判断されるときは、２ビット目の判断に進む（ステップＳ９２）。２ビット目の判断（ステップＳ９２）において、２ビット目＝１であると判断されるときは、ＨＤＭＩ規格で規定されたパケットデータ送信領域を介して送られてきた音声パケットデータは、映像信号＃１のデータとして復号化され、データ送信未使用領域を介して送られてきた音声パケットデータは、映像信号＃２のデータとして復号化される（ステップＳ９５）。２ビット目の判断（ステップＳ９２）において、２ビット目＝０であると判断される時は３ビット目の判断に進む（ステップＳ９３）。３ビット目の判断（ステップＳ９３）において、３ビット目＝１であると判断されるときは、ＨＤＭＩ規格で規定されたパケットデータ送信領域を介して送られてきた音声パケットデータは、映像信号＃２のデータとして復号化され、データ送信未使用領域を介して送られてきた音声パケットデータは、映像信号＃１のデータとして復号化される（ステップＳ９６）。３ビット目の判断（ステップＳ９３）において、３ビット目＝０であると判断される時は１ビット目＝０の時と同じ処理（ステップＳ９４）を行うこととする。
【００８４】
以上のように本実施の形態によれば、映像音声送信装置（ＤＶＤプレーヤ１０）から左目用の映像と右目用の映像とをそれぞれ全く違った映像である３Ｄビデオフォーマットを用い、一方の音声パケットデータをデータ送信未使用領域により送信することで、映像音声受信装置（ＴＶ２０）では、２つの映像音声信号を同時に別々に出力することが可能になる。
【００８５】
（実施の形態４）
本実施の形態では実施の形態３と同様に、上記３Ｄビデオフォーマットを送信することを前提とし、左目用の映像と右目用の映像とがそれぞれ全く違った映像であることを想定し、本発明の手段を応用して同時に２つの映像を送受信するための実施例の説明である。
【００８６】
図１０は実施の形態４における映像音声送信装置と映像音声受信装置との接続状態の構成を示すブロック図である。図１０において実施の形態３の図８におけるのと同じ符号は同一構成要素を示している。本実施の形態に特有の構成は、次のとおりである。
【００８７】
ＤＶＤプレーヤ１０は、映像信号入力部１２に映像信号＃１と映像信号＃２とに対応した２系統の映像信号入力と、映像信号＃１と映像信号＃２とを合成する映像信号合成部３３とを有している。一方、ＴＶ２０の構成は実施の形態３と同じ構成である。
【００８８】
映像信号入力部１２に入力される映像信号＃１と映像信号＃２とは、映像信号合成部３３によって図７に示した規格にある左目用の映像Ｌに映像信号＃１を対応させ、右目用の映像Ｒに映像信号＃２を対応させるように変換されるように構成されている。
【００８９】
また、エンコード部１４はパケット生成機能を備えている。音声信号＃１と映像信号＃１とからエンコード部１４で生成されるパケットデータの総称をパケット＃１とし、音声信号＃２と映像信号＃２とに基づいてエンコード部１４で生成されるパケットデータの総称をパケット＃２とする。パケット＃１,パケット＃２ではＨＤＭI規格で規定されているすべてのパケットが対象となる。
【００９０】
このとき、エンコード部１４は図１１に示すように、パケット＃１をＴＭＤＳ出力部１５から、ＨＤＭＩ規格形式のデータ送信領域４０〜４２,４３〜４５を介して送信でき、パケット＃２をＴＭＤＳ出力部１５から、ＨＤＭＩ規格で規定されている通信線のデータ送信未使用領域５０〜５２,５３〜５５を介して送信できる構成になっている。ここでパケット＃１とパケット＃２との送信に使用される領域を逆にしてデータを送信することも可能である。
【００９１】
さらに、映像音声ＨＤＭIエンコード部１４は異なる映像ソースから２つの映像が送信されることと、パケット＃１とパケット＃２とのうちのどちらがＨＤＭI規格形式のデータ送信領域４０〜４２,４３〜４５を介して送信され、残りのどちらがデータ送信未使用領域５０〜５２,５３〜５５を介して送信されることを示す属性情報を生成して出力するように構成されている。属性情報の送信方法は実施の形態１〜３と同様である。
【００９２】
またＤＶＤプレーヤ１０は実施の形態３と同様に、別々の２つの映像をＴＶ２０が受信できるかどうかを判断してから送信する必要がある。この判断は実施の形態３と同様に以下に説明する２つの構成によって可能である。１つは受信機器情報であるＥＤＩＤ(Extended Display Identification Data)３１に本実施形態で送信する映像信号が受信可能であるという情報を記載しておき、ＤＶＤプレーヤ１０はＴＶ２０のＥＤＩＤを読み出すことで判断する構成である。
【００９３】
もう１つはＣＥＣ(Consumer Electronics Control)３２を用いてＤＶＤプレーヤ１０とＴＶ２０とが通信を行い、ＤＶＤプレーヤ１０はＴＶ２０から本実施形態で送信する映像信号が受信可能かどうかの情報を取得する構成である。以上の２つの構成のうちのどちらかの構成により、本実施形態で送信する別々の２つの映像をＴＶ２０で受信できる機能を備えていることを確認してから、ＤＶＤプレーヤ１０は送信を開始する。
【００９４】
また、ＴＶ２０における属性情報判断部２６は、受信した属性情報の値に基づいた判断により、ＨＤＭI規格規定によるデータ送信領域４０〜４２,４３〜４５を介して送信されてきたパケットデータと、データ送信未使用領域５０〜５２,５３〜５５を介して送信されてきたパケットデータとを、一方を映像信号＃１のデータと音声信号＃１とからなるデータとして、他方を映像信号＃２のデータと音声信号＃２とからなるデータとしてそれぞれ扱うことができるように構成されている。
【００９５】
ＴＶ２０における映像音声復号化部では、属性情報判断部２６の判断の結果、ＨＤＭI規格規定によるデータ送信領域４０〜４２,４３〜４５を介して送信されてきたパケットデータと、データ送信未使用領域５０〜５２,５３〜５５を介して送信されてきたパケットデータとを、一方を映像信号＃１のデータと音声信号＃１とからなるデータとして、他方を映像信号＃２と音声信号＃２とからなるデータとしてそれぞれ復号化し、復号化したデータを、映像信号出力部２４から映像信号＃１と映像信号＃２として、音声信号出力部から音声信号＃１と音声信号＃２としてそれぞれ出力できる構成となっている。
【００９６】
ここで、属性情報の具体例を図１２Ａに基づいて説明する。この属性情報の具体例では、以下の３つの場合が例として記載されている。
【００９７】
１つ目は映像信号＃１と映像信号＃２とが１つの左目用映像と右目用映像である場合（データ送信未使用領域にパケットデータがない場合）であり、この場合、属性情報は"０００"という値をとる。
【００９８】
２つ目は映像信号＃１と映像信号＃２とが別々の２つの映像である場合において、ＨＤＭＩ規格で規定されたパケットデータ送信領域を介して、映像信号＃１と音声信号＃１とからなるパケットデータ（パケット＃１）が送信され、データ送信未使用領域を介して、映像信号＃２と音声信号＃２とからなるパケットデータ（パケット＃２）が送信される場合であり、この場合、属性情報は"０１１"という値をとる。
【００９９】
３つ目は映像信号＃１と映像信号＃２とが別々の２つの映像である場合において、ＨＤＭI規格で規定されたパケットデータ送信領域を介して、映像信号＃２と音声信号＃２とからなるパケットデータ（パケット＃２）が送信され、データ送信未使用領域を介して、映像信号＃１と音声信号＃１とからなるパケットデータ（パケット＃１）が送信される場合であり、属性情報は"１０１"という値をとる。
【０１００】
属性情報判断部２６における属性情報の判断は例えば図１２Ｂに示すフローチャートに従って行われる。属性情報が受信されると、まず１ビット目が判断され（ステップＳ１２１）、次に２ビット目が（ステップＳ１２２）、最後に３ビット目が（ステップＳ１２３）それぞれ判断される。１ビット目の判断において（ステップＳ１２１）、１ビット目＝０であると判断されるときは、ＨＤＭＩ規格規定のデータ領域を介して送信されるパケットデータのみが復号化され、通常の３Ｄビデオフォーマットとして左目用の映像と右目用の映像とが１つの映像として出力される（ステップＳ１２４）。１ビット目の判断において（ステップＳ１２１）、１ビット目＝１であると判断される時は、２ビット目の判断に進む（ステップＳ１２２）。２ビット目の判断において（ステップＳ１２２）、２ビット目＝１であると判断されるときは、ＨＤＭI規格で規定されたパケットデータ送信領域を介して送られてきたパケットデータは、映像信号＃１と音声信号＃１とからなるデータ（パケット＃１）として復号化され、データ送信未使用領域を介して送られてきたパケットデータは、映像信号＃２と音声信号＃２とからなるデータ（パケット＃２）として復号化される（ステップＳ１２５）。パケット＃１（映像信号＃１と音声信号＃１）と、パケット＃２（映像信号＃２と音声信号＃２）とは別々に出力される。２ビット目の判断において（ステップＳ１２２）、２ビット目＝０であると判断される時は３ビット目の判断に進む（ステップＳ１２３）。３ビット目の判断において（ステップＳ１２３）、３ビット目＝１であると判断されるときは、ＨＤＭI規格で規定されたパケットデータ送信領域を介して送られてきたパケットデータは、映像信号＃２と音声信号＃２とからなるデータ（パケット＃２）として復号化され、データ送信未使用領域を介して送られてきたパケットデータは、映像信号＃１と音声信号＃１とからなるデータ（パケット＃１）として復号化される（ステップＳ１２６）。パケット＃１（映像信号＃１と音声信号＃１）とパケット＃２（映像信号＃２と音声信号＃２）とは別々に出力される。３ビット目＝０であると判断される時は１ビット目＝０であると判断された時と同じ処理（ステップＳ１２４）を行うこととする。
【０１０１】
以上のように本実施の形態によれば、映像音声送信装置（ＤＶＤプレーヤ１０）により生成された２つの別々の映像音声信号を同時に映像音声受信装置（ＴＶ２０）に送信することが可能になり、また、映像音声受信装置では、映像音声送信装置から送信されてくる２つの映像音声信号を同時に別々に出力することが可能になる。
【０１０２】
本発明は、以上の実施の形態に限定されることなく、種々の変更が可能であり、それらも本発明の範囲内に包含されるものであることは言うまでもない。
【産業上の利用可能性】
【０１０３】
以上のように、本発明にかかわる映像音声送信装置および映像音声受信装置は、従来できなかった多量の情報量のデータ送受信を行うことができるという効果を有し、ＤＶＤプレーヤ、ＤＶＤレコーダ、ＢＤ（Blu-ray Disc）プレーヤ、ＢＤレコーダ等の映像音声送信装置等やＴＶ、ＡＶアンプ、プロジェクタ等の映像音声受信装置等として有用である。
【符号の説明】
【０１０４】
１０  ＤＶＤプレーヤ（映像音声送信装置）
１１  ＨＤＭＩ送信用ＬＳＩ
１２  映像信号入力部
１３  音声信号入力部
１４  映像音声ＨＤＭＩエンコード部（映像音声符号化部）
１５  ＴＭＤＳ出力部（差動信号出力部）
１６  送信装置制御ＣＰＵ
２０  ＴＶ（映像音声受信装置）
２１  ＨＤＭＩ受信用ＬＳＩ
２２  ＴＭＤＳ入力部（差動信号入力部）
２３  映像音声ＨＤＭＩデコード部（映像音声復号化部）
２４  映像信号出力部
２５  音声信号出力部
２６  属性情報判断部
２７  受信装置制御ＣＰＵ
３０  ＨＤＭＩケーブル
ＣＨ０，ＣＨ１，ＣＨ２  ＴＭＤＳチャネル
３１  ＥＤＩＤ
３２  ＣＥＣライン
３３  映像信号合成部
【図１】
2010041385.tif 000003
【図２】
2010041385.tif 000004
【図３】
2010041385.tif 000005
【図４】
2010041385.tif 000006
【図５】
2010041385.tif 000007
【図６Ａ】
2010041385.tif 000008
【図６Ｂ】
2010041385.tif 000009
【図７】
2010041385.tif 000010
【図８】
2010041385.tif 000011
【図９Ａ】
2010041385.tif 000012
【図９Ｂ】
2010041385.tif 000013
【図１０】
2010041385.tif 000014
【図１１】
2010041385.tif 000015
【図１２Ａ】
2010041385.tif 000016
【図１２Ｂ】
2010041385.tif 000017
【手続補正書】
【提出日】平成23年2月22日(2011.2.22)
【手続補正１】
【補正対象書類名】明細書
【補正対象項目名】全文
【補正方法】変更
【補正の内容】
【発明の詳細な説明】
【技術分野】
【０００１】
本発明は、映像音声送信装置と映像音声受信装置との間のデータ送受信の技術にかかわり、特にはＨＤＭＩ（High-Definition Multimedia Interface）規格などによる高速伝送の技術に関する。
【背景技術】
【０００２】
本出願は、２００８年１０月９日に出願された、明細書,図面、特許請求の範囲を含む日本特許出願２００８−２６２６２７号の全てを、ここに参照として本明細書に組み入れている。
【０００３】
近年、ＤＶＤ（Digital Versatile Disc）プレーヤ、ＤＶＤ録画再生装置、ブルーレイディスク録画再生装置、ハードディスクレコーダ、デジタル放送受信機（セットトップボックス）などの映像音声送信装置からＴＶ（テレビジョン受像機）、プロジェクタなどの映像音声受信装置への映像データおよび音声データの高速送信にＨＤＭＩ通信が使われている。ＨＤＭＩは、映像データと音声データを１つのケーブルで送信する規格である。この規格では、音声データはパケットデータとして映像データのブランキング期間に乗せて送信されるようになっている。
【０００４】
ところで、ＨＤＭＩ通信においては、送信する映像データが解像度の低いものである場合に、次のような不都合が生じる。解像度が低いとピクセルクロックの周波数も低く、これに起因してブランキング期間に乗せて送信できる音声パケットデータのサイズも限られてしまう。その結果、ある一定以上の高音質の音声パケットデータを送信することができない。また、多チャンネルで送信することもむずかしい。
【０００５】
これに対して、同じピクセルの映像データを２回繰り返すように構成することでピクセルクロックの周波数を２倍にして、高音質の音声データの送信を可能にするという対策がある。しかしながら、ピクセルクロックの周波数を上げると、音声データに対するノイズの増加や消費電力の増加等の問題が生じる（例えば特許文献１参照）。
【０００６】
特許文献２に開示の技術は、解像度の低い映像データを送信する場合に、映像データの空きビットに音声パケットデータを乗せるようにしている。そのため、ピクセルクロックの周波数を上げなくても、高音質の音声パケットデータを送信することが可能となる。
【先行技術文献】
【特許文献】
【０００７】
【特許文献１】特開２００８−１０４０９０号
【特許文献２】特開２００８−１１８４０５号
【発明の概要】
【発明が解決しようとする課題】
【０００８】
通常の映像データは８ビットを使用する。高ビットの映像（ディープカラー）の場合、２ビット,４ビットまたは８ビット拡張して、１０ビット,１２ビットまたは１６ビットを使用する。ディープカラーは、ＨＤＭＩ端子において転送可能な色数を増やしたもので、ＨＤＭＩ １．３で盛り込まれた。従来のＲＧＢまたはＹＣｂＣｒ各色８ビットの２４ビットカラーでは、色数が不足する場合があった。そこで、１０ビット,１２ビット,１６ビットと拡張した。それぞれ３０ビット,３６ビット,４８ビットになる。Blu-ray Discなどは各色8ビットの２４ビットカラーで記録されており、そのまま再生すればディープカラーは必要ない。ただし、再生装置で２４ビット以上の色数を使ってより綺麗な映像を作る処理をしているために、ディープカラーが必要になる場合がある。液晶表示装置で同様に色の階調を１０ビットなどに拡張したものもある。ＨＤＭＩのディープカラーとは関係なく、８ビットで入力される映像を１０ビット色中の最適な色で表示するものもある。
【０００９】
しかしながら、特許文献１に開示した従来の手法は、拡張したビット（２ビット、４ビットまたは８ビット）に音声データを乗せるものであるため、ディープカラーの映像は送信できない。つまりは、ディープカラーの映像とともに高音質の音声データを送信することはできない。
【００１０】
本発明は、このような事情に鑑みて創作したものであり、送信する映像の解像度、映像のデータビットによらずに、従来よりも多い情報量のより高品質なデータの送受信を可能にすることを主たる目的とする。
【課題を解決するための手段】
【００１１】
（１）本発明の映像音声送信装置は、入力されてくる映像音声信号を所定の規格形式に符号化する映像音声符号化部と、
前記符号化されたデータを前記所定の規格で規定された差動信号として出力する差動信号出力部と、
を備え、
前記差動信号出力部は、前記映像音声符号化部によって符号化されたデータを前記所定の規格で規定されている通信線のデータ送信未使用領域に乗せて出力するように構成され、
前記映像音声符号化部は、前記所定の規格形式のデータ送信領域と前記所定の規格で規定されている通信線のデータ送信未使用領域との両方で送信されるデータが１つの信号から符号化されたか否かを示す属性情報を出力するように構成されている。
【００１２】
上記の構成において、所定の規格では、通信線にデータ送信領域とデータ送信未使用領域とがある。このデータ送信未使用領域を有効に活用するのである。すなわち、映像音声符号化部は入力されてくる映像音声信号を所定の規格形式に符号化し、符号化されたデータを差動信号出力部が複数に分けた上で所定の規格の差動信号として出力する。この際に、差動信号出力部は、符号化データをデータ送信領域とデータ送信未使用領域との両方で送信する。これによりデータ送信未使用領域が有効活用される。標準では使用されることのないデータ送信未使用領域を有効活用するので、所定の規格形式において標準の方式で送信する場合よりも多い情報量のデータを送信することが可能となる。この考え方は、ディープカラーのようなビットの拡張の有無に関係なしに成立する。なお、言うまでもないことであるが、「データ送信未使用領域」における「未使用」とはあくまで標準方式を基準にした表現であり、本発明ではその領域を使用することを前提としている。
【００１３】
さらに、映像音声符号化部は、符号化データが１つの信号から符号化されたか否かを示す属性情報を出力する。この属性情報は、通信相手方の映像音声受信装置において、符号化データを元の１つの信号に復号化するか否かの判断の際に利用される。これにより、元の信号が１つの場合でも複数の場合でも、上記したより多くの情報量のデータを送信可能という効果を発揮させることが可能となる。音声の場合には、複数音源から符号化された音声データパケットをそれぞれの送信経路を使って別々に送信することが可能となる。映像の場合には、複数種類の映像から符号化された映像パケットをそれぞれの送信経路を使って別々に送信することが可能となる。
【００１４】
（２）上記（１）の映像音声送信装置において、前記所定の規格はＨＤＭＩ規格であるという態様がある。この態様では、上記（１）の構成では、その適用対象をＨＤＭＩ規格のデータにのみ限定するものではなく、他の規格のデータにも適用可能であるということが主張されており、さらには、本発明をＨＤＭＩ規格に適用することは好ましい１つの態様であることが主張されている。上記（１）の技術的効果は、標準では使用されることのないデータ送信未使用領域を有効活用するので、所定の規格形式において標準の方式で送信する場合よりも多い情報量のデータを送信することが可能となるということであるが、この効果は、ＨＤＭＩ規格への適用の場合に特に顕著になる。
【００１５】
（３）上記（２）の映像音声送信装置において、前記映像音声符号化部はパケット生成機能を有し、前記差動信号出力部は任意のパケットデータを前記データ送信未使用領域に出力するという態様がある。この態様では、映像音声符号化部がパケット生成機能を有していることから、ＨＤＭＩ規格に準拠したデータとＨＤＭＩ規格以外の規格のデータのいずれであっても本発明は対象可能となし、標準の送信対象であるＨＤＭＩ規格規定のデータに加え、別途に任意の規格のパケットデータを送信する場合にも本発明は適用可能であることが主張されている。この場合も、上記（１）の、標準では使用されることのないデータ送信未使用領域を有効活用するので、標準の方式で送信する場合よりも多い情報量のデータを送信することが可能となる。
【００１６】
（４）上記（３）の映像音声送信装置において、前記差動信号出力部はＨＤＭＩ規格で規定されたパケットデータを前記データ送信未使用領域に出力するという態様がある。この態様は、標準の送信対象であるＨＤＭＩ規格規定のパケットデータをＨＤＭＩ規格でのデータ送信領域に出力して送信するとともに、同じくＨＤＭＩ規格規定の別のパケットデータをＨＤＭＩ規格でのデータ送信未使用領域に出力して送信する、ということを意味している。すなわち、本発明では、あるパケットデータはデータ送信領域で送信し、別のパケットデータはデータ送信未使用領域で送信するということであり、本発明は、複数種類の信号に適用可能であることが主張されている。
【００１７】
（５）上記（４）の映像音声送信装置において、前記映像音声符号化部は、入力されてくる１つの映像信号または音声信号をＨＤＭＩ規格で規定されたパケットデータに符号化し、前記差動信号出力部は、符号化された前記パケットデータをＨＤＭＩ規格で規定されたデータ送信領域と前記データ送信未使用領域とに分けて出力するという態様がある。この態様によれば、１つの映像信号または音声信号を符号化したパケットデータを複数に分けて、あるものはデータ送信領域に出力し、別のあるものはデータ送信未使用領域に出力して、同時的に送信可能とするため、より多くの映像パケットデータまたは音声パケットデータを送信することが可能となる。
【００１８】
（６）上記（４）の映像音声送信装置において、前記映像音声符号化部が生成するＨＤＭＩ規格で規定されたパケットデータは、オーディオサンプルパケット,オーディオクロック・リジェネレーションパケット,オーディオインフォフレームパケット,ワンビット・オーディオサンプルパケット,ＤＳＴオーディオパケット,ＨＢＲオーディオストリームパケットの中のいずれか１つまたは複数であるという態様がある。この態様は、データ送信未使用領域を利用して送信する音声のパケットデータについて、具体的に記述するものである。オーディオサンプルパケットはＨＤＭＩ規格の非圧縮の音声パケットである。オーディオクロック・リジェネレーションパケットは受信側で音声クロックを生成するために送信されるパケットである。オーディオインフォフレームパケットは音声データの特性を表わすパラメータを含むパケットである。ワンビット・オーディオサンプルパケット,ＤＳＴオーディオパケット,ＨＢＲオーディオストリームパケットはＨＤＭＩ規格に規定された圧縮音声パケットである。この構成によれば、上記に挙げた音声パケットデータを複数の送信経路で送信可能となるため、従来では送信できなかった高音質の音声パケットデータや多チャンネル音声パケットデータが送信可能になる。
【００１９】
（７）上記（４）の映像音声送信装置において、前記差動信号出力部が出力するＨＤＭＩ規格で規定されたパケットデータはＭＰＥＧソース・インフォフレームであるという態様がある。これは、データ送信未使用領域を利用して送信する映像のパケットデータについて、具体的に記述するものである。ＭＰＥＧソース・インフォフレームは、ＨＤＭＩ規格規定による映像パケットである。この構成によれば、上記に挙げた映像パケットデータを複数の送信経路で送信可能となるため、従来では送信できなかった高画質の映像パケットが送信可能となる。
【００２０】
続いて、本発明にかかわる映像音声受信装置について説明する。
【００２１】
（８）本発明の映像音声受信装置は、
所定の規格で規定された差動信号を入力する差動信号入力部と、
前記差動信号入力部が入力する前記差動信号により送信され前記所定の規格形式に符号化されたデータから映像音声信号を復号化する映像音声復号化部と、
前記所定の規格形式のデータ送信領域と前記所定の規格で規定されている通信線のデータ送信未使用領域との両方で送信される符号化データが１つの信号から符号化されたか否かを入力した属性情報に基づいて判断する属性情報判断部と、
を備え、
前記差動信号入力部は、前記所定の規格形式のデータ送信領域と前記所定の規格で規定されている通信線のデータ送信未使用領域との両方で送信されてくる符号化データを入力するように構成され、
前記映像音声復号化部は、前記差動信号入力部で入力された前記データ送信領域およびデータ送信未使用領域の符号化データをともに復号化するように構成され、
前記映像音声復号化部は、前記属性情報判断部が肯定の判断を示すときは前記の符号化データを１つの信号として合成し復号化するように構成されているものである。
【００２２】
上記の構成において、相手方の映像音声送信装置から送られてくる所定規格の符号化データが差動信号入力部に入力され、映像音声復号化部に渡される。そして、映像音声復号化部はデータ送信領域の符号化データおよびデータ送信未使用領域の符号化データをともに復号化する。以上によりデータ送信未使用領域にデータが含まれている場合でも、そのデータを受信することが可能となり、所定の規格形式において標準の方式で受信する場合よりも多い情報量のデータを受信することが可能となる。
【００２３】
さらに、相手方の映像音声送信装置から送られてくる所定規格の差動信号が差動信号入力部に入力され、映像音声復号化部に渡される。ここで、属性情報判断部においてデータ送信領域の符号化データとデータ送信未使用領域の符号化データとが１つの信号から符号化されたものであるか否かの判断が属性情報に基づいて行われ、その判断結果が肯定的であるとき、映像音声復号化部は符号化データを１つの信号として合成し復号化し、その判断結果が否定的であるとき、映像音声復号化部は符号化データを別々の信号として復号化する。
【００２４】
以上により、信号源が１つの場合でデータ送信領域とデータ送信未使用領域とに分けて符号化データを送受信する場合に、そのデータを１つにまとめて復号化することが可能となり、所定の規格形式において標準の方式で受信する場合よりも多い情報量のデータを受信することが可能となる。また、多チャンネルでのデータ送受信が可能となる。
【００２５】
（９）上記（８）の映像音声受信装置において、前記所定の規格はＨＤＭＩ規格であるという態様がある。換言すれば、上記（８）の構成は、その適用対象をＨＤＭＩ規格のデータにのみ限定するものではなく、他の規格のデータにも適用可能であるということである。この態様は、本発明をＨＤＭＩ規格に適用することは好ましい１つの態様であることを主張するものである。上記（８）の技術的効果は、標準では使用されることのないデータ送信未使用領域を有効活用するので、所定の規格形式において標準の方式で受信する場合よりも多い情報量のデータを受信することが可能となるということであるが、この効果は、ＨＤＭＩ規格への適用の場合に特に顕著になる。
【００２６】
（１０）上記（９）の映像音声受信装置において、前記映像音声復号化部は、前記データ送信未使用領域に任意のパケットデータが含まれている場合に、そのデータを復号化するという態様がある。この態様では、ＨＤＭＩ規格に準拠したデータとＨＤＭＩ規格以外の規格のデータのいずれであっても対象可能となし、標準の送信対象であるＨＤＭＩ規格規定のデータに加え、別途に任意の規格のパケットデータを受信する場合にも適用可能であることが主張されている。この場合も、上記（８）に態様において標準では使用されることのないデータ送信未使用領域を有効活用するので、標準の方式で受信する場合よりも多い情報量のデータを受信することが可能となる。
【００２７】
（１１）上記（１０）の映像音声受信装置において、前記映像音声復号化部は、前記データ送信未使用領域にＨＤＭＩ規格で規定された音声パケットデータが含まれている場合に、そのデータを音声信号に復号化するという態様がある。この態様では、標準の受信対象であるＨＤＭＩ規格規定のパケットデータをＨＤＭＩ規格でのデータ送信領域から復号化するとともに、同じくＨＤＭＩ規格規定の別のパケットデータをデータ送信未使用領域から復号化することが本発明では可能であることが主張されている。すなわち、あるパケットデータはデータ送信領域から復号化し、別のパケットデータはデータ送信未使用領域から復号化するということであり、本発明は複数種類の信号に適用可能である。つまり、複数の経路で送信されてくる音声パケットを別々に音声信号に復号化し、複数種類の音声信号を作ることが本発明で可能となる。
【００２８】
（１２）上記（１０）の映像音声受信装置において、前記映像音声復号化部は、前記データ送信未使用領域にＨＤＭＩ規格で規定された映像パケットデータが含まれている場合に、そのデータを映像信号に復号化するという態様がある。この態様によれば、標準に受信するＨＤＭＩ規格規定の映像パケットデータに加え、別途に映像パケットデータを受信することが可能となり、複数の経路から送信されてくる映像パケットを別々に映像信号に復号化し、複数種類の映像信号を作ることが可能となる。
【００２９】
（１３）上記（８）の映像音声受信装置において、前記映像音声復号化部は、ＨＤＭＩ規格で規定されているデータ送信領域により送信されてくる音声パケットデータと、前記データ送信未使用領域により送信されてくる音声パケットデータとを１つの音声信号に合成し復号化するという態様がある。この態様によれば、複数の経路から送信されてくる音声パケットをより高音質な１つの音声信号に合成し復号化することが可能となる。
【００３０】
（１４）上記（８）の映像音声受信装置において、前記映像音声復号化部は、ＨＤＭＩ規格で規定されているデータ送信領域により送信されてくる映像パケットデータと、前記データ送信未使用領域により送信されてくる映像パケットデータとを１つの映像信号に合成し復号化するという態様がある。この態様によれば、複数の経路から送信されてくる映像パケットをより高画質な１つの映像信号に合成し復号化することが可能となる。
【００３１】
（１５）さらに、上記（１）の映像音声送信装置において、前記属性情報は、前記データ送信未使用領域にデータがあるか否かを示す情報を含むという態様がある。この態様によれば、データ送信未使用領域により送信されるパケットデータと所定の規格で規定されたデータ送信領域により送信されるパケットデータとが別々の入力信号から符号化された別々のパケットデータであるか、１つの入力信号から符号化されて分割送信されるパケットデータであるかを区別することが可能となる。
【００３２】
（１６）また、上記（８）の映像音声受信装置において、前記属性情報判断部は、前記データ送信未使用領域にデータがあるか否かを判断するという態様がある。この態様によれば、データ送信未使用領域により受信されるパケットデータと所定の規格で規定されたデータ送信領域により受信されるパケットデータが別々の入力信号から符号化された別々のパケットデータであるか、１つの入力信号から符号化されて分割されて受信したパケットデータであるかを判断し、それぞれの場合に合わせてパケットを復号化し、信号を生成することが可能となる。
【発明の効果】
【００３３】
本発明によれば、従来、所定の規格で標準では直接には使用しないとされていたデータ送信未使用領域をデータ送信に有効活用するので、所定の規格形式において標準の方式で送信する場合よりも多い情報量のデータの送受信を行うことができる。
【図面の簡単な説明】
【００３４】
【図１】図１は、本発明の実施の形態１における映像音声送信装置と映像音声受信装置との接続状態の構成を示すブロック図である。
【図２】図２は、ＨＤＭＩ規格で規定されたパケット送信のデータ送信領域・データ送信未使用領域の概念図（従来技術相当）である。
【図３】図３は、本発明におけるパケット送信のデータ送信領域・データ送信未使用領域の概念図である。
【図４】図４は、本発明の実施の形態におけるパケット送信データ送信領域・データ送信未使用領域の概念図である。
【図５】図５は、本発明の実施の形態２における映像音声送信装置と映像音声受信装置との接続状態の構成を示すブロック図である。
【図６Ａ】図６Ａは、属性情報のデータの例である。
【図６Ｂ】図６Ｂは、属性情報データを用いた映像音声受信装置でのデータ判断例である。
【図７】図７は、ＨＤＭＩ Ｖｅｒ１．４で規格化された３Ｄビデオフォーマットの１例である。
【図８】図８は、本発明の実施の形態３における映像音声送信装置と映像音声受信装置との接続状態の構成を示すブロック図である。
【図９Ａ】図９Ａは、属性情報データの例である。
【図９Ｂ】図９Ｂは、属性情報データを用いた映像音声受信装置でのデータ判断例である。
【図１０】図１０は、本発明の実施の形態４における映像音声送信装置と映像音声受信装置との接続状態の構成を示すブロック図である。
【図１１】図１１は、本発明の実施の形態４におけるパケット送信データ送信領域・データ送信未使用領域の概念図である。
【図１２Ａ】図１２Ａは、属性情報データの例である。
【図１２Ｂ】図１２Ｂは、属性情報データを用いた映像音声受信装置でのデータ判断例である。
【発明を実施するための形態】
【００３５】
（実施の形態１）
図１は本発明の実施の形態１における映像音声送信装置と映像音声受信装置との接続状態の構成を示すブロック図である。図１において、１０は映像音声送信装置の一例であるＤＶＤプレーヤであり、２０は映像音声受信装置の一例であるＴＶであり、３０はＨＤＭＩケーブルである。ＤＶＤプレーヤ１０とＴＶ２０とはＨＤＭＩケーブル３０を介して接続されている。
【００３６】
まず、ＤＶＤプレーヤ１０の構成について説明する。ＤＶＤプレーヤ１０は、映像音声再生部（図示せず）を備え、記録メディアであるＤＶＤから映像信号、音声信号を読み出すようになっている。１１はＨＤＭＩ送信用ＬＳＩであり、１２は映像音声再生部が再生する映像信号を入力する映像信号入力部であり、１３は映像音声再生部が再生する音声信号が入力される音声信号入力部であり、１４は入力されてくる映像音声信号をＨＤＭＩ規格形式に符号化する機能に加えてパケット生成機能を備えた映像音声符号化部としての映像音声ＨＤＭＩエンコード部であり、１５は映像音声ＨＤＭＩエンコード部１４から入力するＨＤＭＩ規格信号を３つのＴＭＤＳチャネルＣＨ０,ＣＨ１，ＣＨ２により差動信号としてＨＤＭＩケーブル３０に出力する差動信号出力部としてのＴＭＤＳ出力部であり、１６はＤＶＤプレーヤ１０の制御を司る送信装置制御ＣＰＵである。ＨＤＭＩケーブル３０における送信の形態は、３つのチャネルであるＴＭＤＳチャネルＣＨ０,ＣＨ１,ＣＨ２を利用したものとなる。
【００３７】
ＴＭＤＳ（Transition Minimized Differential Signaling）は、パーソナルコンピュータやチューナとテレビ、ディスプレイとの間などでデータ通信のために用いられるデジタル信号伝送方式であり、「遷移時間最短差動信号伝送方式」とも表現される。ＴＭＤＳ方式では差動信号が用いられるので、ノイズや信号の歪みに対する耐性が高くなっている。
【００３８】
図２はＨＤＭＩ規格で規定されたパケット送信のデータ送信領域・データ送信未使用領域の概念図である。この図２は従来技術に相当するものである。図２において、網掛けした部分がＨＤＭＩ規格規定による標準のデータ送信領域である。Ｐａｃｋｅｔ１,Ｐａｃｋｅｔ２の下側にあるデータラインＤ４〜Ｄ７の白地の部分はデータ送信未使用領域である。ＨＤＭＩ規格によると、ＴＭＤＳチャネルにより送信される音声信号は、ビデオのブランキング期間の一部においてパケットデータ４０〜４２およびパケットデータ４３〜４５として送信される。ＨＳＹＮＣは水平同期信号を示し、ＶＳＹＮＣは垂直同期信号を示している。Ｄ０〜Ｄ７は８ビット構成のデータラインを示し、映像期間では８つすべてのデータラインＤ０〜Ｄ７を用いて映像データを送信するが、ブランキング期間では標準で４つのみのデータラインＤ０〜Ｄ３を用いて音声データを送信するようになっている。ここでは、音声のパケットデータが２つ送信されている（Ｐａｃｋｅｔ１,Ｐａｃｋｅｔ２）。すなわち、ＴＭＤＳチャネルＣＨ０では同期信号と音声のパケットヘッダがパケットデータ４０として送信され、ＴＭＤＳチャネルＣＨ１では音声のパケットデータ４１として送信され、ＴＭＤＳチャネルＣＨ２では音声のパケットデータ４２として送信され、さらに、別のタイミングにおいて、ＴＭＤＳチャネルＣＨ０では同期信号と音声のパケットヘッダがパケットデータ４３として送信され、ＴＭＤＳチャネルＣＨ１では音声のパケットデータ４４として送信され、ＴＭＤＳチャネルＣＨ２では音声のパケットデータ４５として送信される。
【００３９】
従来技術相当の図２の場合、音声データの送信に関して、パケットデータ４０〜４５の送信に用いられるのはＴＭＤＳチャネルＣＨ０〜ＣＨ２のデータラインＤ０〜Ｄ３だけであり、データラインのＤ４〜Ｄ７はデータ送信未使用領域となっている。
【００４０】
これに対して、本発明を適用する場合には、ＨＤＭＩ規格においてデータラインのＤ４〜Ｄ７が標準ではデータ送信未使用領域となっている点に注目し、これを有効活用するようにしたものである。すなわち、図３に示すように、そのデータ送信未使用領域５０〜５２および（または）データ送信未使用領域５３〜５５にＨＤＭＩ規格で規定されているパケットデータを送信するようにしたものである（ハッチング（斜め線）参照）。「データ送信未使用領域」における「未使用」とは、あくまで標準方式を基準にした表現である。
【００４１】
ＴＭＤＳチャネルＣＨ０では標準でのデータ送信未使用領域５０に乗せて音声のパケットヘッダが送信され、ＴＭＤＳチャネルＣＨ１では標準でのデータ送信未使用領域５１に乗せて音声のパケットデータが送信され、ＴＭＤＳチャネルＣＨ２では標準でのデータ送信未使用領域５２に乗せて音声のパケットデータが送信される（Ｐａｃｋｅｔ３）。また、続くタイミングでは、ＴＭＤＳチャネルＣＨ０では標準でのデータ送信未使用領域５３に乗せて音声のパケットヘッダが送信され、ＴＭＤＳチャネルＣＨ１では標準でのデータ送信未使用領域５４に乗せて音声のパケットデータが送信され、ＴＭＤＳチャネルＣＨ２では標準でのデータ送信未使用領域５５に乗せて音声のパケットデータが送信される（Ｐａｃｋｅｔ４）。
【００４２】
ここで図１に戻って、映像音声ＨＤＭＩエンコード部１４は、また、ＨＤＭＩ規格で規定されている通信線のデータ送信未使用領域にパケットデータがあるか否かを示す属性情報を生成し出力するように構成されている。ＴＭＤＳ出力部１５は、その属性情報をデータ送信未使用領域に乗せてＨＤＭＩケーブル３０に出力するように構成されている。
【００４３】
次に、ＴＶ２０の構成について説明する。２１はＨＤＭＩ受信用ＬＳＩ,２２はＤＶＤプレーヤ１０から送信されてくるＨＤＭＩ規格信号を３つのＴＭＤＳチャネルＣＨ０,ＣＨ１,ＣＨ２を介して受信する差動信号入力部としてのＴＭＤＳ入力部である。２３は入力されてくるＨＤＭＩ規格信号から映像音声信号を復号化する映像音声復号化部としての映像音声ＨＤＭＩデコード部である。２４は復号化された映像信号を出力する映像信号出力部である。２５は復号化された音声信号を出力する音声信号出力部である。２６はデータ送信未使用領域における属性情報をチェックする属性情報判断部である。属性情報判断部２６は、属性情報の値に基づいた判断により、ＨＤＭＩ規格規定によるデータ送信未使用領域にパケットデータがあるか否かを確認する。２７はＴＶ２０の制御を司る受信装置制御ＣＰＵである。
【００４４】
次に、上記のように構成された本実施の形態の映像音声送信装置および映像音声受信装置の動作を説明する。ここでは、図４の具体例を参照しながら説明する。ＤＶＤプレーヤ１０の動作は次のとおりである。不図示の映像音声再生部が記録メディア（ＤＶＤ）から映像信号、音声信号を読み出す。読み出された映像信号が映像信号入力部１２に入力され、音声信号が音声信号入力部１３に入力される。エンコード部１４において、映像信号入力部１２からの映像信号がＨＤＭＩ規格信号に変換され、ＴＭＤＳ出力部１５に出力される。同様に、音声信号入力部１３からの音声信号もＨＤＭＩ規格信号に変換され、ＴＭＤＳ出力部１５に出力される。ＴＭＤＳ出力部１５に入力されたＨＤＭＩ規格信号は、３つに分けられてＴＭＤＳチャネルＣＨ０,ＣＨ１,ＣＨ２における差動信号へ変換され、ＨＤＭＩケーブル３０に出力される。
【００４５】
エンコード部１４はパケット生成機能を備えており、送信装置制御ＣＰＵ１６から入力される制御系信号に基づいてエンコード部１４は属性情報を含む制御系パケットを生成して、ＴＭＤＳ出力部１５に出力する。ここでは、エンコード部１４は、データ送信未使用領域にパケットデータがあることを示す属性情報を生成するものとする。ＴＭＤＳ出力部１５は、その属性情報を図４のデータ送信未使用領域６０に付けて送信する。この属性情報を送信することにより、データ送信未使用領域に存在するパケットデータもデコードすべきことを、ＴＶ２０における属性情報判断部２６に判断させることができる。なお、属性情報を付ける場所をデータ送信未使用領域６０としたが、ＴＭＤＳチャネルＣＨ０のデータ送信未使用領域であればどこでもかまわない。また、ＨＤＭＩ規格で規定されているオーディオサンプルパケットのリザーブ（Reserved）領域に同様の属性情報を加えてもよい。ＴＭＤＳ出力部１５に入力された属性情報は、ＴＭＤＳチャネルＣＨ０でＨＤＭＩケーブル３０へ出力される。
【００４６】
図４に示す具体例の場合においては、エンコード部１４は、音声信号入力部１３から入力された音声信号をオーディオサンプルパケット（Audio Sample Packet）に変換し、ＴＭＤＳチャネルＣＨ０,ＣＨ１,ＣＨ２のＨＤＭＩ規格規定によるデータ送信領域４０〜４２とデータ送信未使用領域５０〜５２とに分けて送信する。これによれば、オーディオサンプルパケットの単位時間当たりの送信量を従来技術の場合の２倍とすることが可能となる。さらに、データ送信未使用領域５３〜５５でもオーディオサンプルパケットを送信することができ、さらに多くのパケットデータを送信することができる。
【００４７】
次に、ＴＶ２０の動作について説明する。ＤＶＤプレーヤ１０からＨＤＭＩケーブル３０のＴＭＤＳチャネルＣＨ０,ＣＨ１,ＣＨ２を介して送信されたＨＤＭＩ規格信号がＴＭＤＳ入力部２２によって受信される。ＴＭＤＳ入力部２２は、ＨＤＭＩ規格規定によるデータ送信領域４０〜４２で送信されるオーディオサンプルパケットと、データ送信未使用領域５０〜５２で送信されるオーディオサンプルパケットとを受信する。
【００４８】
ＴＭＤＳ入力部２２からのビデオのパケットは、映像音声ＨＤＭＩデコード部２３によって映像信号にデコードされる。また、ＴＭＤＳ入力部２２からのオーディオサンプルパケットは、デコード部２３によって音声信号にデコードされる。このとき、データ送信未使用領域６０の属性情報が属性情報判断部２６でチェックされ、データ送信未使用領域５０〜５２にもオーディオサンプルパケットが存在していることの確認が行われる。この確認を行うために、データ送信領域のオーディオサンプルパケットだけでなくデータ送信未使用領域のオーディオサンプルパケットもデコードされることになる。
【００４９】
以上のように本実施の形態によれば、映像音声送信装置（ＤＶＤプレーヤ１０）において、ＨＤＭＩ規格で標準では直接には使用しないとされていたデータ送信未使用領域をデータ送信に有効活用するので、オーディオサンプルパケットの単位時間当たりの送信量を従来技術に比べて多くすることができる。すなわち、従来、ピクセルクロックの制限のために送信できなかった高音質の音声データであっても、これを送信することが可能になる。また、映像音声受信装置（ＴＶ２０）においては、映像音声送信装置から送信される音声データを、従来では再生できなかった高音質の音声信号に変換し再生することが可能になる。結果として、これら映像音声送信装置および映像音声受信装置を接続することで、いままで再生することのできなかった高音質の音声が出力できる映像音声再生システムを構築することができる。
【００５０】
上記において非圧縮の音声パケットについての説明を行ったが、本発明の技術は、ＨＤＭＩ規格規定による圧縮音声パケットであるワンビット・オーディオサンプルパケット（One Bit Audio Sample Packet）、ＤＳＴオーディオパケット（DST Audio Packet）、ＨＢＲオーディオストリームパケット（HBR Audio Stream Packet）などにも適用することができる。
【００５１】
また、上記において音声パケットについての説明を行ったが、本発明は、ＨＤＭＩ規格規定による映像パケットであるＭＰＥＧソース・インフォフレーム（Mpeg Source InfoFrame）などにも適用することができる。
【００５２】
また、本発明は、ＨＤＭＩ規格規定における全種類のパケットに適用してもかまわない。ＨＤＭＩ規格で規定されている制御系パケットについては、デコード部２３により制御系信号に変換され、受信装置制御ＣＰＵ２７に伝送される。
【００５３】
また、上記において、ＨＤＭＩ規格規定によるパケットでなく、独自のデータの送受信に適用してもかまわない。
【００５４】
また、ディープカラーを用いた場合にも、実施の形態１は同様に適用できる。
【００５５】
（実施の形態２）
図５は本発明の実施の形態２における映像音声送信装置と映像音声受信装置との接続状態の構成を示すブロック図である。図５において、実施の形態１の図１におけるのと同じ符号は同一構成要素を指している。本実施の形態に特有の構成は、次のとおりである。
【００５６】
ＤＶＤプレーヤ１０は、音声信号入力部１３に＃１と＃２の２系統の音声信号入力を有し、一方、ＴＶ２０は音声信号出力部２５に＃１と＃２の２系統の音声信号出力を有している。
【００５７】
音声信号入力部１３に入力される音声信号＃１および音声信号＃２は、映像音声ＨＤＭＩエンコード部１４によって互いに別々のオーディオサンプルパケットに変換される。加えて、オーディオクロック・リジェネレーションパケット（Audio Clock Regeneration Packet）、オーディオインフォフレームパケット（Audio InfoFrame Packet）もそれぞれの音声信号について変換される。オーディオクロック・リジェネレーションパケットはＴＶ２０側で音声クロックを生成するために送信される。オーディオインフォフレームパケットは音声データの特性を表わすパラメータを含む。これら３種類のパケットから１つの音声信号が生成される。
【００５８】
本実施の形態では、ＤＶＤプレーヤ１０におけるエンコード部１４は、ＨＤＭＩ規格形式のデータ送信領域４０〜４２とＨＤＭＩ規格で規定されている通信線のデータ送信未使用領域５０〜５２との両方で送信されるパケットヘッダとパケットデータとが１つの信号から符号化されたか否かを示す属性情報が生成されて出力されるように構成されている（図４のデータ送信未使用領域６０を参照）。
【００５９】
また、ＴＶ２０における属性情報判断部２６は、受信した属性情報の値に基づいた判断により、ＨＤＭＩ規格規定によるデータ送信領域４０〜４２で送信されるオーディオサンプルパケットとデータ送信未使用領域５０〜５２で送信されるオーディオサンプルパケットとが、同じ音源から変換されたか否かを確認するように構成されている。
【００６０】
エンコード部１４は、音声信号＃１および音声信号＃２のそれぞれから生成される上記３種類の音声データパケットをそれぞれ２つに分け、ＴＭＤＳ出力部１５は、一方のパケットデータをＨＤＭＩ規格規定によるデータ送信領域４０〜４２により送信し、他方のパケットデータをデータ送信未使用領域５０〜５２により送信する。これにより、２系統で入力される別々の音声信号＃１,＃２のパケットデータを同時にＨＤＭＩケーブル３０を介して接続先のＴＶ２０に送信することができる。このとき、エンコード部１４は属性情報として別々のデータを送っていることを示す情報を生成し送信することになる。この属性情報を送信することにより、ＴＶ２０における属性情報判断部２６に対して、オーディオサンプルパケットを別々にデコードするべきか、一緒にまとめてデコードするべきかを判断させることができる。
【００６１】
一方、ＴＶ２０においては、ＴＭＤＳ入力部２２からのビデオのパケットは、映像音声ＨＤＭＩデコード部２３によって映像信号にデコードされる。また、ＴＭＤＳ入力部２２からのオーディオサンプルパケットは、デコード部２３によって音声信号にデコードされる。このとき、データ送信未使用領域６０の属性情報が属性情報判断部２６でチェックされ、ＨＤＭＩ規格規定によるデータ送信領域４０〜４２で送信されるオーディオサンプルパケットとデータ送信未使用領域５０〜５２で送信されるオーディオサンプルパケットとが同じ音源から変換されたものであるか否かの確認が行われる。この確認により、両オーディオサンプルパケットがそれぞれ別々の音源由来のものであることが確認されれば、両オーディオサンプルパケットは個別の音声信号としてデコードされ、同じ音源由来のものであることが確認されれば、両オーディオサンプルパケットは１つの音声信号に合成されたうえでデコードされる。
【００６２】
ここで属性情報の具体例を図６Ａに基づいて説明する。この属性情報の具体例では、データ送信未使用領域にパケットデータがあるかないかの識別と、２つのパケットデータが別々の信号由来のものか１つの信号由来のものかの識別とが組み合わせられて属性情報をなしている。
【００６３】
前者のデータ送信未使用領域にパケットデータがあるかないかの識別は、属性情報の１ビット目においてなされている。具体的には、パケットデータがある場合、当該ビットは"１"となり、ない場合"０"となる。
【００６４】
後者の２つのパケットデータが別々の信号由来のものか１つの信号由来のものかの識別は、属性情報の２ビット目においてなされている。具体的には、別々の信号由来の場合、当該ビットは"０"となり、１つの信号由来の場合は"１"となる。
【００６５】
属性情報判断部２６における属性情報の判断は例えば図６Ｂに示すフローチャートに従って行われる。属性情報が受信されると、まず１ビット目が判断され（ステップＳ６１）、次に２ビット目が判断される（ステップＳ６２）。１ビット目の判断において（ステップＳ６１）、１ビット目＝０（"００"および"１０"）であると判定されるときは、ＨＤＭＩ規格規定のデータ送信領域で送信されるパケットデータのみ復号化される（ステップＳ６３）。一方、１ビット目の判断において（ステップＳ６１）、１ビット目＝１（"０１"および"１１"）であると判定されるときは、２ビット目の判断に進む（ステップＳ６２）。２ビット目の判断において（ステップＳ６２）、２ビット目＝０（"０１"）であると判定されるときは、ＨＤＭＩ規格規定のデータ送信領域で送信されるパケットデータとデータ送信未使用領域で送信されるパケットデータとは、別々の信号として復号化される（ステップＳ６４）。そして、２ビット目の判断において（ステップＳ６２）、２ビット目＝１（"１１"）であると判定されるときは、ＨＤＭＩ規格規定のデータ送信領域で送信されるパケットデータとデータ送信未使用領域で送信されるパケットデータとが１つの信号として復号化される（ステップＳ６５）。
【００６６】
その他の構成および動作については、実施の形態１と同様であるので説明を省略する。また、実施の形態１における各種の付記事項も本実施の形態に当てはまる。
【００６７】
以上のように本実施の形態によれば、映像音声送信装置（ＤＶＤプレーヤ１０）により生成された２つの音声信号を映像音声受信装置（ＴＶ２０）に送信することが可能になり、また、映像音声受信装置では、映像音声送信装置から送信されてくる音声データパケットを２つの音声信号に変換し、別々の音声信号を出力することが可能になる。
【００６８】
（実施の形態３）
図７はＨＤＭＩ規格Ｖｅｒ１．４により規定された新しい３Ｄビデオフォーマットの一例である。このビデオフォーマットでは左目用と右目用の映像を送信することが可能となっている。本実施の形態では上記３Ｄビデオフォーマットを送信することを前提とし、左目用の映像と右目用の映像をとそれぞれ全く違った映像であることを想定し、本発明の手段を応用して同時に２つの映像を送受信するための実施例である。
【００６９】
図８は実施の形態３における映像音声送信装置と映像音声受信装置との接続状態の構成を示すブロック図である。図８において実施の形態２の図５におけるのと同じ符号は同一構成要素を指している。本実施の形態に特有の構成は、次のとおりである。
【００７０】
ＤＶＤプレーヤ１０は、映像信号入力部１２に左目用の映像（これを映像＃１とする）と右目用の映像（これを映像＃２とする）とがそれぞれ全く違った３Ｄビデオフォーマット映像信号＃０が入力される。一方、ＴＶ２０は映像信号出力部２４に映像信号＃１と映像信号＃２の２系統の映像信号出力を有している。音声信号＃１は映像＃１（映像信号＃１）に合わせた音声信号であり、音声信号＃２は映像＃１（映像信号＃２）に合わせた音声信号である。
【００７１】
本実施の形態では、ＤＶＤプレーヤ１０において、音声信号入力部１３に入力される音声信号＃１および音声信号＃２は、実施の形態２と同様に互いに別々のオーディオサンプルパケットに変換され、加えてオーディオクロック・リジェネレーションパケット、オーディオインフォフレームパケットもそれぞれ変換されＴＶ２０に送信される。
【００７２】
エンコード部１４は、実施の形態２と同様に、音声信号＃１と音声信号＃２とのそれぞれから生成される上記３種類の音声データパケットをそれぞれ２つに分け、ＴＭＤＳ出力部１５は、一方のパケットデータをＨＤＭＩ規格規定によるデータ送信領域４０〜４２（図４）により送信し、他方のパケットデータをデータ送信未使用領域５０〜５２（図４）により送信する。
【００７３】
また、エンコード部１４は属性情報として映像＃１と映像＃２とがそれぞれ全く違った３Ｄビデオフォーマットで構成されていることを示す情報と、音声信号＃１から生成されたパケットデータと音声信号＃２から生成されたパケットデータとのうちのどちらが、ＨＤＭＩ規格規定によるデータ送信領域４０〜４２（図４）を使用して送信され、残りのどちらがデータ送信未使用領域５０〜５２（図４）を使用して送信されるのかを判別できる属性情報を実施の形態２と同様にデータ送信未使用領域６０,６１（図４）を使用して送信することができるように構成されている。
【００７４】
さらに、ＤＶＤプレーヤ１０は本実施の形態で送信する３Ｄビデオフォーマット（映像＃１と映像＃２とがそれぞれ全く異なる）をＴＶ２０が受信できるかどうかを判断してから送信する必要がある。この判断は以下に説明する２つの構成によって可能である。
【００７５】
１つは受信機器情報であるＥＤＩＤ(Extended Display Identification Data)３１に本実施形態で送信する映像信号が受信可能であるという情報を記載しておき、ＤＶＤプレーヤ１０はＴＶ２０のＥＤＩＤを読み出すことで判断する構成である。ＨＤＭＩ送信用ＬＳＩ１１とＨＤＭＩ受信用ＬＳＩ２１とは、それぞれＤＤＣ（Display Data Channel）通信を行うためのインターフェース３５および３７を備えており、ＤＶＤプレーヤ１０はＨＤＭＩケーブル３０の一部であるＤＤＣライン３４を介してＴＶ２０が備えているＥＤＩＤ３１の情報を読み出すことが可能である。
【００７６】
もう１つはＣＥＣ(Consumer Electronics Control)３２を用いてＤＶＤプレーヤ１０とＴＶ２０が通信を行い、ＤＶＤプレーヤ１０はＴＶ２０から本実施の形態で送信する映像信号が受信可能かどうかの情報を取得する構成である。ＨＤＭＩ送信用ＬＳＩ１１とＨＤＭＩ受信用ＬＳＩ２１とは、ＣＥＣ通信を行うためのインターフェース３６および３８をそれぞれ備えており、ＤＶＤプレーヤ１０とＴＶ１０とは、ＨＤＭＩケーブル３０の一部であるＣＥＣライン３２を介して情報のやり取りが可能である。
【００７７】
以上の２つの構成のどちらかの構成により、ＴＶ２０が３Ｄビデオフォーマット映像（映像＃１と映像＃２とがそれぞれ全く異なる）を受信できる機能を備えていることを確認してから、ＤＶＤプレーヤ１０は映像送信を開始する。
【００７８】
一方、ＴＶ２０において、属性情報判断部２６はＤＶＤプレーヤ１０から送られてくる属性情報に基づいて、
・通常の３Ｄビデオフォーマットであるのか、３Ｄビデオフォーマット（映像＃１と映像＃２とがそれぞれ全く異なる）であるのかの判別と、
・ＨＤＭＩ規格規定によるデータ送信領域４０〜４２を使用して送信されたパケットデータであるのか、データ送信未使用領域５０〜５２を使用して送信されたパケットデータであるのかの判別と、
を行う。
【００７９】
ここで、属性情報の具体例を図９Ａに基づいて説明する。この属性情報の具体例では、以下の３つの場合が例として記載されている。
【００８０】
１つ目は映像＃１と映像＃２とが１つの映像である場合（データ送信未使用領域にパケットデータがない場合）であり、属性情報は "０００"という値をとる。
【００８１】
２つ目は映像＃１と映像＃２とが別々の２つの映像である場合において、ＨＤＭI規格で規定されたパケットデータ送信領域を介して、映像＃１の音声パケットデータが送信され、データ送信未使用領域を介して、映像＃２の音声パケットデータが送信される場合であり、属性情報は"０１１"という値をとる。
【００８２】
３つ目は映像＃１と映像＃２とが別々の２つの映像である場合において、ＨＤＭI規格で規定されたパケットデータ送信領域を介して、映像＃２の音声パケットデータが送信され、データ送信未使用領域を介して、映像＃１の音声パケットデータが送信される場合であり、属性情報は"１０１"という値をとる。
【００８３】
属性情報判断部２６における属性情報の判断は例えば図９Ｂに示すフローチャートに従って行われる。属性情報が受信されると、まず１ビット目が判断され（ステップＳ９１）、次に２ビット目が判断され（ステップＳ９２）、最後に３ビット目が判断される（ステップＳ９３）。なお、ここでは下位のビットから１ビット目と呼んでいる。１ビット目の判断（ステップＳ９１）において、１ビット目＝０であると判断されるときは、ＨＤＭＩ規格で規定されたデータ領域を介して送信されるパケットデータのみが復号化され、通常の３Ｄビデオフォーマットとして左目用の映像と右目用の映像とが１つの映像として出力される（ステップＳ９４）。１ビット目＝１であると判断されるときは、２ビット目の判断に進む（ステップＳ９２）。２ビット目の判断（ステップＳ９２）において、２ビット目＝１であると判断されるときは、ＨＤＭＩ規格で規定されたパケットデータ送信領域を介して送られてきた音声パケットデータは、映像信号＃１のデータとして復号化され、データ送信未使用領域を介して送られてきた音声パケットデータは、映像信号＃２のデータとして復号化される（ステップＳ９５）。２ビット目の判断（ステップＳ９２）において、２ビット目＝０であると判断される時は３ビット目の判断に進む（ステップＳ９３）。３ビット目の判断（ステップＳ９３）において、３ビット目＝１であると判断されるときは、ＨＤＭＩ規格で規定されたパケットデータ送信領域を介して送られてきた音声パケットデータは、映像信号＃２のデータとして復号化され、データ送信未使用領域を介して送られてきた音声パケットデータは、映像信号＃１のデータとして復号化される（ステップＳ９６）。３ビット目の判断（ステップＳ９３）において、３ビット目＝０であると判断される時は１ビット目＝０の時と同じ処理（ステップＳ９４）を行うこととする。
【００８４】
以上のように本実施の形態によれば、映像音声送信装置（ＤＶＤプレーヤ１０）から左目用の映像と右目用の映像とをそれぞれ全く違った映像である３Ｄビデオフォーマットを用い、一方の音声パケットデータをデータ送信未使用領域により送信することで、映像音声受信装置（ＴＶ２０）では、２つの映像音声信号を同時に別々に出力することが可能になる。
【００８５】
（実施の形態４）
本実施の形態では実施の形態３と同様に、上記３Ｄビデオフォーマットを送信することを前提とし、左目用の映像と右目用の映像とがそれぞれ全く違った映像であることを想定し、本発明の手段を応用して同時に２つの映像を送受信するための実施例の説明である。
【００８６】
図１０は実施の形態４における映像音声送信装置と映像音声受信装置との接続状態の構成を示すブロック図である。図１０において実施の形態３の図８におけるのと同じ符号は同一構成要素を示している。本実施の形態に特有の構成は、次のとおりである。
【００８７】
ＤＶＤプレーヤ１０は、映像信号入力部１２に映像信号＃１と映像信号＃２とに対応した２系統の映像信号入力と、映像信号＃１と映像信号＃２とを合成する映像信号合成部３３とを有している。一方、ＴＶ２０の構成は実施の形態３と同じ構成である。
【００８８】
映像信号入力部１２に入力される映像信号＃１と映像信号＃２とは、映像信号合成部３３によって図７に示した規格にある左目用の映像Ｌに映像信号＃１を対応させ、右目用の映像Ｒに映像信号＃２を対応させるように変換されるように構成されている。
【００８９】
また、エンコード部１４はパケット生成機能を備えている。音声信号＃１と映像信号＃１とからエンコード部１４で生成されるパケットデータの総称をパケット＃１とし、音声信号＃２と映像信号＃２とに基づいてエンコード部１４で生成されるパケットデータの総称をパケット＃２とする。パケット＃１,パケット＃２ではＨＤＭI規格で規定されているすべてのパケットが対象となる。
【００９０】
このとき、エンコード部１４は図１１に示すように、パケット＃１をＴＭＤＳ出力部１５から、ＨＤＭＩ規格形式のデータ送信領域４０〜４２,４３〜４５を介して送信でき、パケット＃２をＴＭＤＳ出力部１５から、ＨＤＭＩ規格で規定されている通信線のデータ送信未使用領域５０〜５２,５３〜５５を介して送信できる構成になっている。ここでパケット＃１とパケット＃２との送信に使用される領域を逆にしてデータを送信することも可能である。
【００９１】
さらに、映像音声ＨＤＭIエンコード部１４は異なる映像ソースから２つの映像が送信されることと、パケット＃１とパケット＃２とのうちのどちらがＨＤＭI規格形式のデータ送信領域４０〜４２,４３〜４５を介して送信され、残りのどちらがデータ送信未使用領域５０〜５２,５３〜５５を介して送信されることを示す属性情報を生成して出力するように構成されている。属性情報の送信方法は実施の形態１〜３と同様である。
【００９２】
またＤＶＤプレーヤ１０は実施の形態３と同様に、別々の２つの映像をＴＶ２０が受信できるかどうかを判断してから送信する必要がある。この判断は実施の形態３と同様に以下に説明する２つの構成によって可能である。１つは受信機器情報であるＥＤＩＤ(Extended Display Identification Data)３１に本実施形態で送信する映像信号が受信可能であるという情報を記載しておき、ＤＶＤプレーヤ１０はＴＶ２０のＥＤＩＤを読み出すことで判断する構成である。
【００９３】
もう１つはＣＥＣ(Consumer Electronics Control)３２を用いてＤＶＤプレーヤ１０とＴＶ２０とが通信を行い、ＤＶＤプレーヤ１０はＴＶ２０から本実施形態で送信する映像信号が受信可能かどうかの情報を取得する構成である。以上の２つの構成のうちのどちらかの構成により、本実施形態で送信する別々の２つの映像をＴＶ２０で受信できる機能を備えていることを確認してから、ＤＶＤプレーヤ１０は送信を開始する。
【００９４】
また、ＴＶ２０における属性情報判断部２６は、受信した属性情報の値に基づいた判断により、ＨＤＭI規格規定によるデータ送信領域４０〜４２,４３〜４５を介して送信されてきたパケットデータと、データ送信未使用領域５０〜５２,５３〜５５を介して送信されてきたパケットデータとを、一方を映像信号＃１のデータと音声信号＃１とからなるデータとして、他方を映像信号＃２のデータと音声信号＃２とからなるデータとしてそれぞれ扱うことができるように構成されている。
【００９５】
ＴＶ２０における映像音声復号化部では、属性情報判断部２６の判断の結果、ＨＤＭI規格規定によるデータ送信領域４０〜４２,４３〜４５を介して送信されてきたパケットデータと、データ送信未使用領域５０〜５２,５３〜５５を介して送信されてきたパケットデータとを、一方を映像信号＃１のデータと音声信号＃１とからなるデータとして、他方を映像信号＃２と音声信号＃２とからなるデータとしてそれぞれ復号化し、復号化したデータを、映像信号出力部２４から映像信号＃１と映像信号＃２として、音声信号出力部から音声信号＃１と音声信号＃２としてそれぞれ出力できる構成となっている。
【００９６】
ここで、属性情報の具体例を図１２Ａに基づいて説明する。この属性情報の具体例では、以下の３つの場合が例として記載されている。
【００９７】
１つ目は映像信号＃１と映像信号＃２とが１つの左目用映像と右目用映像である場合（データ送信未使用領域にパケットデータがない場合）であり、この場合、属性情報は"０００"という値をとる。
【００９８】
２つ目は映像信号＃１と映像信号＃２とが別々の２つの映像である場合において、ＨＤＭＩ規格で規定されたパケットデータ送信領域を介して、映像信号＃１と音声信号＃１とからなるパケットデータ（パケット＃１）が送信され、データ送信未使用領域を介して、映像信号＃２と音声信号＃２とからなるパケットデータ（パケット＃２）が送信される場合であり、この場合、属性情報は"０１１"という値をとる。
【００９９】
３つ目は映像信号＃１と映像信号＃２とが別々の２つの映像である場合において、ＨＤＭI規格で規定されたパケットデータ送信領域を介して、映像信号＃２と音声信号＃２とからなるパケットデータ（パケット＃２）が送信され、データ送信未使用領域を介して、映像信号＃１と音声信号＃１とからなるパケットデータ（パケット＃１）が送信される場合であり、属性情報は"１０１"という値をとる。
【０１００】
属性情報判断部２６における属性情報の判断は例えば図１２Ｂに示すフローチャートに従って行われる。属性情報が受信されると、まず１ビット目が判断され（ステップＳ１２１）、次に２ビット目が（ステップＳ１２２）、最後に３ビット目が（ステップＳ１２３）それぞれ判断される。１ビット目の判断において（ステップＳ１２１）、１ビット目＝０であると判断されるときは、ＨＤＭＩ規格規定のデータ領域を介して送信されるパケットデータのみが復号化され、通常の３Ｄビデオフォーマットとして左目用の映像と右目用の映像とが１つの映像として出力される（ステップＳ１２４）。１ビット目の判断において（ステップＳ１２１）、１ビット目＝１であると判断される時は、２ビット目の判断に進む（ステップＳ１２２）。２ビット目の判断において（ステップＳ１２２）、２ビット目＝１であると判断されるときは、ＨＤＭI規格で規定されたパケットデータ送信領域を介して送られてきたパケットデータは、映像信号＃１と音声信号＃１とからなるデータ（パケット＃１）として復号化され、データ送信未使用領域を介して送られてきたパケットデータは、映像信号＃２と音声信号＃２とからなるデータ（パケット＃２）として復号化される（ステップＳ１２５）。パケット＃１（映像信号＃１と音声信号＃１）と、パケット＃２（映像信号＃２と音声信号＃２）とは別々に出力される。２ビット目の判断において（ステップＳ１２２）、２ビット目＝０であると判断される時は３ビット目の判断に進む（ステップＳ１２３）。３ビット目の判断において（ステップＳ１２３）、３ビット目＝１であると判断されるときは、ＨＤＭI規格で規定されたパケットデータ送信領域を介して送られてきたパケットデータは、映像信号＃２と音声信号＃２とからなるデータ（パケット＃２）として復号化され、データ送信未使用領域を介して送られてきたパケットデータは、映像信号＃１と音声信号＃１とからなるデータ（パケット＃１）として復号化される（ステップＳ１２６）。パケット＃１（映像信号＃１と音声信号＃１）とパケット＃２（映像信号＃２と音声信号＃２）とは別々に出力される。３ビット目＝０であると判断される時は１ビット目＝０であると判断された時と同じ処理（ステップＳ１２４）を行うこととする。
【０１０１】
以上のように本実施の形態によれば、映像音声送信装置（ＤＶＤプレーヤ１０）により生成された２つの別々の映像音声信号を同時に映像音声受信装置（ＴＶ２０）に送信することが可能になり、また、映像音声受信装置では、映像音声送信装置から送信されてくる２つの映像音声信号を同時に別々に出力することが可能になる。
【０１０２】
本発明は、以上の実施の形態に限定されることなく、種々の変更が可能であり、それらも本発明の範囲内に包含されるものであることは言うまでもない。
【産業上の利用可能性】
【０１０３】
以上のように、本発明にかかわる映像音声送信装置および映像音声受信装置は、従来できなかった多量の情報量のデータ送受信を行うことができるという効果を有し、ＤＶＤプレーヤ、ＤＶＤレコーダ、ＢＤ（Blu-ray Disc）プレーヤ、ＢＤレコーダ等の映像音声送信装置等やＴＶ、ＡＶアンプ、プロジェクタ等の映像音声受信装置等として有用である。
【符号の説明】
【０１０４】
１０  ＤＶＤプレーヤ（映像音声送信装置）
１１  ＨＤＭＩ送信用ＬＳＩ
１２  映像信号入力部
１３  音声信号入力部
１４  映像音声ＨＤＭＩエンコード部（映像音声符号化部）
１５  ＴＭＤＳ出力部（差動信号出力部）
１６  送信装置制御ＣＰＵ
２０  ＴＶ（映像音声受信装置）
２１  ＨＤＭＩ受信用ＬＳＩ
２２  ＴＭＤＳ入力部（差動信号入力部）
２３  映像音声ＨＤＭＩデコード部（映像音声復号化部）
２４  映像信号出力部
２５  音声信号出力部
２６  属性情報判断部
２７  受信装置制御ＣＰＵ
３０  ＨＤＭＩケーブル
ＣＨ０，ＣＨ１，ＣＨ２  ＴＭＤＳチャネル
３１  ＥＤＩＤ
３２  ＣＥＣライン
３３  映像信号合成部
【手続補正２】
【補正対象書類名】特許請求の範囲
【補正対象項目名】全文
【補正方法】変更
【補正の内容】
【特許請求の範囲】
【請求項１】
入力されてくる映像音声信号を所定の規格形式に符号化する映像音声符号化部と、
前記符号化されたデータを前記所定の規格で規定された差動信号として出力する差動信号出力部とを備え、
前記差動信号出力部は、前記映像音声符号化部によって符号化されたデータを前記所定の規格で規定されている通信線のデータ送信未使用領域に乗せて出力するように構成され、
前記映像音声符号化部は、前記所定の規格形式のデータ送信領域と前記所定の規格で規定されている通信線のデータ送信未使用領域との両方で送信されるデータが１つの信号から符号化されたか否かを示す属性情報を出力するように構成されている、
映像音声送信装置。
【請求項２】
前記所定の規格はＨＤＭＩ規格である、
請求項１の映像音声送信装置。
【請求項３】
前記映像音声符号化部はパケット生成機能を有し、
前記差動信号出力部は任意のパケットデータを前記データ送信未使用領域に出力する、
請求項２の映像音声送信装置。
【請求項４】
前記差動信号出力部はＨＤＭＩ規格で規定されたパケットデータを前記データ送信未使用領域に出力する、
請求項３の映像音声送信装置。
【請求項５】
前記映像音声符号化部は、入力されてくる１つの映像信号または音声信号をＨＤＭＩ規格で規定されたパケットデータに符号化し、
前記差動信号出力部は、符号化された前記パケットデータをＨＤＭＩ規格で規定されたデータ送信領域と前記データ送信未使用領域とに分けて出力する、
請求項４の映像音声送信装置。
【請求項６】
前記映像音声符号化部が生成するＨＤＭＩ規格で規定されたパケットデータは、オーディオサンプルパケット、オーディオクロック・リジェネレーションパケット、オーディオインフォフレームパケット、ワンビット・オーディオサンプルパケット、ＤＳＴオーディオパケット、ＨＢＲオーディオストリームパケットの中のいずれか１つまたは複数である、
請求項４の映像音声送信装置。
【請求項７】
前記差動信号出力部が出力するＨＤＭＩ規格で規定されたパケットデータは、ＭＰＥＧソース・インフォフレームである、
請求項４の映像音声送信装置。
【請求項８】
前記属性情報は、前記データ送信未使用領域にデータがあるか否かを示す情報を含む、
請求項１の映像音声送信装置。
【請求項９】
前記映像音声信号は、３Ｄビデオフォーマットで構成されている、
請求項１の映像音声送信装置。
【請求項１０】
前記映像音声信号を受信する受信装置が、３Ｄビデオフォーマットで構成された映像音声信号を受信可能であることを示す情報を、前記受信装置から送信されたＥＤＩＤ（Extended Display Identification Data）から読み出す、
請求項９の映像音声送信装置。
【請求項１１】
前記映像音声信号を受信する受信装置が、３Ｄビデオフォーマットで構成された映像音声信号を受信可能であることを示す情報を、前記受信装置からＣＥＣ（Consumer Electronics Control）を介して読み出す、
請求項９の映像音声送信装置。
【請求項１２】
前記属性情報は、３Ｄビデオフォーマットの第１の映像または第２の映像のいずれに対応する音声データが、前記データ送信未使用領域から送信されたかを示す、
請求項８の映像音声送信装置。
【請求項１３】
所定の規格で規定された差動信号を入力する差動信号入力部と、
前記差動信号入力部が入力する前記差動信号により送信され前記所定の規格形式に符号化されたデータから映像音声信号を復号化する映像音声復号化部と、
前記所定の規格形式のデータ送信領域と前記所定の規格で規定されている通信線のデータ送信未使用領域との両方で送信される符号化データが１つの信号から符号化されたか否かを入力した属性情報に基づいて判断する属性情報判断部と、
を備え、
前記差動信号入力部は、前記所定の規格形式のデータ送信領域と前記所定の規格で規定されている通信線のデータ送信未使用領域との両方で送信されてくる符号化データを入力するように構成され、
前記映像音声復号化部は、前記差動信号入力部で入力された前記データ送信領域およびデータ送信未使用領域の符号化データをともに復号化するように構成され、
前記映像音声復号化部は、前記属性情報判断部が肯定の判断を示すときは前記の符号化データを１つの信号として合成し復号化するように構成されている、
映像音声受信装置。
【請求項１４】
前記所定の規格はＨＤＭＩ規格である、
請求項１３の映像音声受信装置。
【請求項１５】
前記映像音声復号化部は、前記データ送信未使用領域に任意のパケットデータが含まれている場合に、そのデータを復号化する、
請求項１４の映像音声受信装置。
【請求項１６】
前記映像音声復号化部は、前記データ送信未使用領域にＨＤＭＩ規格で規定された音声パケットデータが含まれている場合、そのデータを音声信号に復号化する、
請求項１５の映像音声受信装置。
【請求項１７】
前記映像音声復号化部は、前記データ送信未使用領域にＨＤＭＩ規格で規定された映像パケットデータが含まれている場合に、そのデータを映像信号に復号化する、
請求項１５の映像音声受信装置。
【請求項１８】
前記映像音声復号化部は、ＨＤＭＩ規格で規定されているデータ送信領域により送信されてくる音声パケットデータと、前記データ送信未使用領域により送信されてくる音声パケットデータとを１つの音声信号に合成し復号化する、
請求項１３の映像音声受信装置。
【請求項１９】
前記映像音声復号化部は、ＨＤＭＩ規格で規定されているデータ送信領域により送信されてくる映像パケットデータと、前記データ送信未使用領域により送信されてくる映像パケットデータとを１つの映像信号に合成し復号化する、
請求項１３の映像音声受信装置。
【請求項２０】
前記映像音声復号化部は、ＨＤＭＩ規格で規定されているデータ送信領域により送信されてくる映像パケットデータと、前記データ送信未使用領域により送信されてくる映像パケットデータとを別々の映像信号に復号化する、
請求項１３の映像音声受信装置。
【請求項２１】
前記属性情報判断部は、前記データ送信未使用領域にデータがあるか否かを判断する、
請求項１３の映像音声受信装置。
【請求項２２】
前記映像音声信号は、３Ｄビデオフォーマットで構成されている、
請求項１３の映像音声受信装置。
【請求項２３】
３Ｄビデオフォーマットで構成された映像音声信号を受信可能であることを示す情報を、ＥＤＩＤ（Extended Display Identification Data）に追加する、
請求項２２の映像音声受信装置。
【請求項２４】
３Ｄビデオフォーマットで構成された映像音声信号を受信可能であることを示す情報を、ＣＥＣ（Consumer Electronics Control）を介して送信する、
請求項２２の映像音声受信装置。
【請求項２５】
前記属性情報判断部は、３Ｄビデオフォーマットの第１の映像または第２の映像のいずれに対応する音声データが、前記データ送信未使用領域から送信されたかを判断する、
請求項２１の映像音声受信装置。
【手続補正３】
【補正対象書類名】図面
【補正対象項目名】全図
【補正方法】変更
【補正の内容】
【図１】
2010041385.tif 000018
【図２】
2010041385.tif 000019
【図３】
2010041385.tif 000020
【図４】
2010041385.tif 000021
【図５】
2010041385.tif 000022
【図６Ａ】
2010041385.tif 000023
【図６Ｂ】
2010041385.tif 000024
【図７】
2010041385.tif 000025
【図８】
2010041385.tif 000026
【図９Ａ】
2010041385.tif 000027
【図９Ｂ】
2010041385.tif 000028
【図１０】
2010041385.tif 000029
【図１１】
2010041385.tif 000030
【図１２Ａ】
2010041385.tif 000031
【図１２Ｂ】
2010041385.tif 000032
【手続補正書】
【提出日】平成23年6月13日(2011.6.13)
【手続補正１】
【補正対象書類名】明細書
【補正対象項目名】００１１
【補正方法】変更
【補正の内容】
【００１１】
（１）本発明の映像音声送信装置は、入力されてくる映像信号及び音声信号をＨＤＭＩ規格形式に符号化する映像音声符号化部と、
符号化された前記映像信号及び前記音声信号をＨＤＭＩ規格で規定された差動信号として出力する差動信号出力部とを備え、
前記差動信号出力部は、前記映像音声符号化部によって符号化された前記音声信号を前記音声信号に対応する前記映像信号が送信された後のブランキング期間に、ＴＭＤＳの各チャンネルのデータラインＤ４乃至Ｄ７の少なくともいずれか１つのデータラインに乗せて出力するように構成され、
前記映像音声符号化部は、前記ブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとの両方で送信されるデータが１つの音声信号から符号化されたか否かを示す属性情報を出力するように構成されている。
【手続補正２】
【補正対象書類名】明細書
【補正対象項目名】００１４
【補正方法】変更
【補正の内容】
【００１４】
上記（１）の技術的効果は、標準では使用されることのないデータ送信未使用領域を有効活用するので、所定の規格形式において標準の方式で送信する場合よりも多い情報量のデータを送信することが可能となるということであるが、この効果は、ＨＤＭＩ規格への適用の場合に特に顕著になる。
【手続補正３】
【補正対象書類名】明細書
【補正対象項目名】００１５
【補正方法】変更
【補正の内容】
【００１５】
（２）上記（１）の映像音声送信装置において、前記映像音声符号化部はパケット生成機能を有し、前記差動信号出力部は任意のパケットデータを前記ブランキング期間に、ＴＭＤＳの各チャンネルのデータラインＤ４乃至Ｄ７の少なくともいずれか１つのデータラインに出力するという態様がある。この態様では、映像音声符号化部がパケット生成機能を有していることから、ＨＤＭＩ規格に準拠したデータとＨＤＭＩ規格以外の規格のデータのいずれであっても本発明は対象可能となし、標準の送信対象であるＨＤＭＩ規格規定のデータに加え、別途に任意の規格のパケットデータを送信する場合にも本発明は適用可能であることが主張されている。この場合も、上記（１）の、標準では使用されることのないデータ送信未使用領域を有効活用するので、標準の方式で送信する場合よりも多い情報量のデータを送信することが可能となる。
【手続補正４】
【補正対象書類名】明細書
【補正対象項目名】００１６
【補正方法】変更
【補正の内容】
【００１６】
（３）上記（２）の映像音声送信装置において、前記差動信号出力部はＨＤＭＩ規格で規定されたパケットデータを前記ブランキング期間に、ＴＭＤＳの各チャンネルのデータラインＤ４乃至Ｄ７の少なくともいずれか１つのデータラインに出力するという態様がある。この態様は、標準の送信対象であるＨＤＭＩ規格規定のパケットデータをＨＤＭＩ規格でのデータ送信領域に出力して送信するとともに、同じくＨＤＭＩ規格規定の別のパケットデータをＨＤＭＩ規格でのデータ送信未使用領域に出力して送信する、ということを意味している。すなわち、本発明では、あるパケットデータはデータ送信領域で送信し、別のパケットデータはデータ送信未使用領域で送信するということであり、本発明は、複数種類の信号に適用可能であることが主張されている。
【手続補正５】
【補正対象書類名】明細書
【補正対象項目名】００１７
【補正方法】変更
【補正の内容】
【００１７】
（４）上記（３）の映像音声送信装置において、前記映像音声符号化部は、入力されてくる１つの映像信号または音声信号をＨＤＭＩ規格で規定されたパケットデータに符号化し、前記差動信号出力部は、符号化された前記パケットデータを前記ブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとに分けて出力するという態様がある。この態様によれば、１つの映像信号または音声信号を符号化したパケットデータを複数に分けて、あるものはデータ送信領域に出力し、別のあるものはデータ送信未使用領域に出力して、同時的に送信可能とするため、より多くの映像パケットデータまたは音声パケットデータを送信することが可能となる。
【手続補正６】
【補正対象書類名】明細書
【補正対象項目名】００１８
【補正方法】変更
【補正の内容】
【００１８】
（５）上記（３）の映像音声送信装置において、前記映像音声符号化部が生成するＨＤＭＩ規格で規定されたパケットデータは、オーディオサンプルパケット,オーディオクロック・リジェネレーションパケット,オーディオインフォフレームパケット,ワンビット・オーディオサンプルパケット,ＤＳＴオーディオパケット,ＨＢＲオーディオストリームパケットの中のいずれか１つまたは複数であるという態様がある。この態様は、データ送信未使用領域を利用して送信する音声のパケットデータについて、具体的に記述するものである。オーディオサンプルパケットはＨＤＭＩ規格の非圧縮の音声パケットである。オーディオクロック・リジェネレーションパケットは受信側で音声クロックを生成するために送信されるパケットである。オーディオインフォフレームパケットは音声データの特性を表わすパラメータを含むパケットである。ワンビット・オーディオサンプルパケット,ＤＳＴオーディオパケット,ＨＢＲオーディオストリームパケットはＨＤＭＩ規格に規定された圧縮音声パケットである。この構成によれば、上記に挙げた音声パケットデータを複数の送信経路で送信可能となるため、従来では送信できなかった高音質の音声パケットデータや多チャンネル音声パケットデータが送信可能になる。
【手続補正７】
【補正対象書類名】明細書
【補正対象項目名】００１９
【補正方法】削除
【補正の内容】
【手続補正８】
【補正対象書類名】明細書
【補正対象項目名】００２１
【補正方法】変更
【補正の内容】
【００２１】
（６）本発明の映像音声受信装置は、ＨＤＭＩ規格で規定された差動信号を入力する差動信号入力部と、
前記差動信号入力部が入力する前記差動信号により送信されＨＤＭＩ規格形式に符号化されたデータから映像信号と音声信号を復号化する映像音声復号化部と、
前記音声信号に対応する前記映像信号が送信された後のブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとの両方で送信される符号化データが１つの音声信号から符号化されたか否かを入力した属性情報に基づいて判断する属性情報判断部と、
を備え、
前記差動信号入力部は、前記ブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとの両方で送信されてくる符号化データを入力するように構成され、
前記映像音声復号化部は、前記ブランキング期間に、ＴＭＤＳの各チャンネルのデータラインＤ０乃至Ｄ３およびＴＭＤＳの各チャンネルのデータラインＤ４乃至Ｄ７の少なくともいずれか１つのデータラインの符号化データをともに復号化するように構成され、
前記映像音声復号化部は、前記属性情報判断部が肯定の判断を示すときは前記の符号化データを１つの音声信号として合成し復号化するように構成されているものである。
【手続補正９】
【補正対象書類名】明細書
【補正対象項目名】００２５
【補正方法】変更
【補正の内容】
【００２５】
上記（６）の技術的効果は、標準では使用されることのないデータ送信未使用領域を有効活用するので、所定の規格形式において標準の方式で受信する場合よりも多い情報量のデータを受信することが可能となるということであるが、この効果は、ＨＤＭＩ規格への適用の場合に特に顕著になる。
【手続補正１０】
【補正対象書類名】明細書
【補正対象項目名】００２６
【補正方法】変更
【補正の内容】
【００２６】
（７）上記（６）の映像音声受信装置において、前記映像音声復号化部は、前記ブランキング期間に、ＴＭＤＳの各チャンネルのデータラインＤ４乃至Ｄ７の少なくともいずれか１つのデータラインに任意のパケットデータが含まれている場合に、そのデータを復号化するという態様がある。この態様では、ＨＤＭＩ規格に準拠したデータとＨＤＭＩ規格以外の規格のデータのいずれであっても対象可能となし、標準の送信対象であるＨＤＭＩ規格規定のデータに加え、別途に任意の規格のパケットデータを受信する場合にも適用可能であることが主張されている。この場合も、上記（６）に態様において標準では使用されることのないデータ送信未使用領域を有効活用するので、標準の方式で受信する場合よりも多い情報量のデータを受信することが可能となる。
【手続補正１１】
【補正対象書類名】明細書
【補正対象項目名】００２７
【補正方法】変更
【補正の内容】
【００２７】
（８）上記（７）の映像音声受信装置において、前記映像音声復号化部は、前記ブランキング期間に、ＴＭＤＳの各チャンネルのデータラインＤ４乃至Ｄ７の少なくともいずれか１つのデータラインにＨＤＭＩ規格で規定された音声パケットデータが含まれている場合、そのデータを音声信号に復号化するという態様がある。この態様では、標準の受信対象であるＨＤＭＩ規格規定のパケットデータをＨＤＭＩ規格でのデータ送信領域から復号化するとともに、同じくＨＤＭＩ規格規定の別のパケットデータをデータ送信未使用領域から復号化することが本発明では可能であることが主張されている。すなわち、あるパケットデータはデータ送信領域から復号化し、別のパケットデータはデータ送信未使用領域から復号化するということであり、本発明は複数種類の信号に適用可能である。つまり、複数の経路で送信されてくる音声パケットを別々に音声信号に復号化し、複数種類の音声信号を作ることが本発明で可能となる。
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】変更
【補正の内容】
【００２９】
（９）上記（６）の映像音声受信装置において、前記映像音声復号化部は、前記ブランキング期間に、ＴＭＤＳの各チャンネルのデータラインＤ０乃至Ｄ３により送信されてくる音声パケットデータと、ＴＭＤＳの各チャンネルのデータラインＤ４乃至Ｄ７の少なくともいずれか１つのデータラインにより送信されてくる音声パケットデータとを１つの音声信号に合成し復号化するという態様がある。この態様によれば、複数の経路から送信されてくる音声パケットをより高音質な１つの音声信号に合成し復号化することが可能となる。
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】変更
【補正の内容】
【００３１】
（１０）さらに、上記（１）の映像音声送信装置において、前記属性情報は、前記ブランキング期間に、ＴＭＤＳの各チャンネルのデータラインＤ４乃至Ｄ７の少なくともいずれか１つのデータラインにデータがあるか否かを示す情報を含むという態様がある。この態様によれば、データ送信未使用領域により送信されるパケットデータと所定の規格で規定されたデータ送信領域により送信されるパケットデータとが別々の入力信号から符号化された別々のパケットデータであるか、１つの入力信号から符号化されて分割送信されるパケットデータであるかを区別することが可能となる。
【手続補正１６】
【補正対象書類名】明細書
【補正対象項目名】００３２
【補正方法】変更
【補正の内容】
【００３２】
（１１）また、上記（６）の映像音声受信装置において、前記属性情報判断部は、前記ブランキング期間に、ＴＭＤＳの各チャンネルのデータラインＤ４乃至Ｄ７の少なくともいずれか１つのデータラインにデータがあるか否かを判断するという態様がある。この態様によれば、データ送信未使用領域により受信されるパケットデータと所定の規格で規定されたデータ送信領域により受信されるパケットデータが別々の入力信号から符号化された別々のパケットデータであるか、１つの入力信号から符号化されて分割されて受信したパケットデータであるかを判断し、それぞれの場合に合わせてパケットを復号化し、信号を生成することが可能となる。
【手続補正１７】
【補正対象書類名】特許請求の範囲
【補正対象項目名】全文
【補正方法】変更
【補正の内容】
【特許請求の範囲】
【請求項１】
入力されてくる映像信号及び音声信号をＨＤＭＩ規格形式に符号化する映像音声符号化部と、
符号化された前記映像信号及び前記音声信号をＨＤＭＩ規格で規定された差動信号として出力する差動信号出力部とを備え、
前記差動信号出力部は、前記映像音声符号化部によって符号化された前記音声信号を前記音声信号に対応する前記映像信号が送信された後のブランキング期間に、ＴＭＤＳの各チャンネルのデータラインＤ４乃至Ｄ７の少なくともいずれか１つのデータラインに乗せて出力するように構成され、
前記映像音声符号化部は、前記ブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとの両方で送信されるデータが１つの音声信号から符号化されたか否かを示す属性情報を出力するように構成されている、
映像音声送信装置。
【請求項２】
前記映像音声符号化部はパケット生成機能を有し、
前記差動信号出力部は任意のパケットデータを前記ブランキング期間に、ＴＭＤＳの各チャンネルのデータラインＤ４乃至Ｄ７の少なくともいずれか１つのデータラインに出力する、
請求項１の映像音声送信装置。
【請求項３】
前記差動信号出力部はＨＤＭＩ規格で規定されたパケットデータを前記ブランキング期間に、ＴＭＤＳの各チャンネルのデータラインＤ４乃至Ｄ７の少なくともいずれか１つのデータラインに出力する、
請求項２の映像音声送信装置。
【請求項４】
前記映像音声符号化部は、入力されてくる１つの映像信号または音声信号をＨＤＭＩ規格で規定されたパケットデータに符号化し、
前記差動信号出力部は、符号化された前記パケットデータを前記ブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとに分けて出力する、
請求項３の映像音声送信装置。
【請求項５】
前記映像音声符号化部が生成するＨＤＭＩ規格で規定されたパケットデータは、オーディオサンプルパケット、オーディオクロック・リジェネレーションパケット、オーディオインフォフレームパケット、ワンビット・オーディオサンプルパケット、ＤＳＴオーディオパケット、ＨＢＲオーディオストリームパケットの中のいずれか１つまたは複数である、
請求項３の映像音声送信装置。
【請求項６】
前記属性情報は、前記ブランキング期間に、ＴＭＤＳの各チャンネルのデータラインＤ４乃至Ｄ７の少なくともいずれか１つのデータラインにデータがあるか否かを示す情報を含む、
請求項１の映像音声送信装置。
【請求項７】
前記映像信号と前記音声信号は、３Ｄビデオフォーマットで構成されている、
請求項１の映像音声送信装置。
【請求項８】
前記映像信号と前記音声信号を受信する受信装置が、３Ｄビデオフォーマットで構成された映像音声信号を受信可能であることを示す情報を、前記受信装置から送信されたＥＤＩＤ（Extended Display Identification Data）から読み出す、
請求項７の映像音声送信装置。
【請求項９】
前記映像信号と前記音声信号を受信する受信装置が、３Ｄビデオフォーマットで構成された映像音声信号を受信可能であることを示す情報を、前記受信装置からＣＥＣ（Consumer Electronics Control）を介して読み出す、
請求項７の映像音声送信装置。
【請求項１０】
前記属性情報は、３Ｄビデオフォーマットの第１の映像または第２の映像のいずれに対応する音声データが、前記ブランキング期間に、ＴＭＤＳの各チャンネルのデータラインＤ４乃至Ｄ７の少なくともいずれか１つのデータラインから送信されたかを示す、
請求項６の映像音声送信装置。
【請求項１１】
ＨＤＭＩ規格で規定された差動信号を入力する差動信号入力部と、
前記差動信号入力部が入力する前記差動信号により送信されＨＤＭＩ規格形式に符号化されたデータから映像信号と音声信号を復号化する映像音声復号化部と、
前記音声信号に対応する前記映像信号が送信された後のブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとの両方で送信される符号化データが１つの音声信号から符号化されたか否かを入力した属性情報に基づいて判断する属性情報判断部と、
を備え、
前記差動信号入力部は、前記ブランキング期間に、ＴＭＤＳの各チャンネルのデータラインＤ０乃至Ｄ３とＴＭＤＳの各チャンネルのデータラインＤ４乃至Ｄ７の少なくともいずれか１つのデータラインとの両方で送信されてくる符号化データを入力するように構成され、
前記映像音声復号化部は、前記ブランキング期間に、ＴＭＤＳの各チャンネルのデータラインＤ０乃至Ｄ３およびＴＭＤＳの各チャンネルのデータラインＤ４乃至Ｄ７の少なくともいずれか１つのデータラインの符号化データをともに復号化するように構成され、
前記映像音声復号化部は、前記属性情報判断部が肯定の判断を示すときは前記の符号化データを１つの音声信号として合成し復号化するように構成されている、
映像音声受信装置。
【請求項１２】
前記映像音声復号化部は、前記ブランキング期間に、ＴＭＤＳの各チャンネルのデータラインＤ４乃至Ｄ７の少なくともいずれか１つのデータラインに任意のパケットデータが含まれている場合に、そのデータを復号化する、
請求項１１の映像音声受信装置。
【請求項１３】
前記映像音声復号化部は、前記ブランキング期間に、ＴＭＤＳの各チャンネルのデータラインＤ４乃至Ｄ７の少なくともいずれか１つのデータラインにＨＤＭＩ規格で規定された音声パケットデータが含まれている場合、そのデータを音声信号に復号化する、
請求項１２の映像音声受信装置。
【請求項１４】
前記映像音声復号化部は、前記ブランキング期間に、ＴＭＤＳの各チャンネルのデータラインＤ０乃至Ｄ３により送信されてくる音声パケットデータと、ＴＭＤＳの各チャンネルのデータラインＤ４乃至Ｄ７の少なくともいずれか１つのデータラインにより送信されてくる音声パケットデータとを１つの音声信号に合成し復号化する、
請求項１１の映像音声受信装置。
【請求項１５】
前記属性情報判断部は、前記ブランキング期間に、ＴＭＤＳの各チャンネルのデータラインＤ４乃至Ｄ７の少なくともいずれか１つのデータラインにデータがあるか否かを判断する、
請求項１１の映像音声受信装置。
【請求項１６】
前記映像信号と前記音声信号は、３Ｄビデオフォーマットで構成されている、
請求項１１の映像音声受信装置。
【請求項１７】
３Ｄビデオフォーマットで構成された映像音声信号を受信可能であることを示す情報を、ＥＤＩＤ（Extended Display Identification Data）に追加する、
請求項１６の映像音声受信装置。
【請求項１８】
３Ｄビデオフォーマットで構成された映像音声信号を受信可能であることを示す情報を、ＣＥＣ（Consumer Electronics Control）を介して送信する、
請求項１６の映像音声受信装置。
【請求項１９】
前記属性情報判断部は、３Ｄビデオフォーマットの第１の映像または第２の映像のいずれに対応する音声データが、前記ブランキング期間に、ＴＭＤＳの各チャンネルのデータラインＤ４乃至Ｄ７の少なくともいずれか１つのデータラインから送信されたかを判断する、
請求項１５の映像音声受信装置。
【国際調査報告】
2010041385.tif 000033
2010041385.tif 000034